(57)【要約】本発明は、周波数ホッピング構成方法及び装置を提供し、前記方法は基地局に用いられ、前記基地局により端末に少なくとも１つのＢＷＰが構成されており、前記方法は、既に構成された各ＢＷＰに周波数ホッピング規則を構成するステップと、前記端末にアップリンク伝送周波数ホッピングを行うように指示するとき、既に構成された周波数ホッピング規則に従って、前記端末により現在使用されているＢＷＰに対応する周波数ホッピング規則を決定するステップと、前記端末が前記対応する周波数ホッピング規則と周波数ホッピング前の第１の周波数領域リソース位置に基づいて、周波数ホッピング後の第２の周波数領域リソース位置を決定し、前記第２の周波数領域リソース位置でアップリンク伝送を行うように、前記対応する周波数ホッピング規則を端末に送信するステップと、を含む。したがって、本発明によれば、端末が基地局により指示される周波数ホッピング規則下で、アップリンク伝送周波数ホッピングを完了することを実現することができ、アップリンクスケジューリングの複雑さを低減するだけでなく、システムリソースの断片化も軽減し、システムリソースの使用効率を向上させた。【選択図】図１
2021502774.tif 000002
【特許請求の範囲】
【請求項１】
基地局に用いられ、前記基地局により端末に少なくとも１つのＢＷＰが構成されており、
既に構成された各ＢＷＰに周波数ホッピング規則を構成するステップと、
前記端末にアップリンク伝送周波数ホッピングを行うように指示するとき、既に構成された周波数ホッピング規則に従って、前記端末により現在使用されているＢＷＰに対応する周波数ホッピング規則を決定するステップと、
前記端末が前記対応する周波数ホッピング規則と周波数ホッピング前の第１の周波数領域リソース位置に基づいて、周波数ホッピング後の第２の周波数領域リソース位置を決定し、前記第２の周波数領域リソース位置でアップリンク伝送を行うように、前記対応する周波数ホッピング規則を端末に送信するステップと、を含む
ことを特徴とする周波数ホッピング構成方法。
【請求項２】
前記既に構成された各ＢＷＰに周波数ホッピング規則を構成するステップは、
既に構成された各ＢＷＰに１つ又は複数の異なる周波数ホッピングサブバンドスキームを構成するステップを含み、
各周波数ホッピングサブバンドスキームには、少なくとも１つの周波数ホッピングサブバンドが含まれ、同じＢＷＰ内の周波数ホッピングサブバンドは、このＢＷＰ内の連続する周波数リソースセグメントである
ことを特徴とする請求項１に記載の方法。
【請求項３】
前記既に構成された周波数ホッピング規則に従って、前記端末により現在使用されているＢＷＰに対応する周波数ホッピング規則を決定するステップは、
前記端末により現在使用されているＢＷＰに１つの周波数ホッピングサブバンドスキームが構成された場合、この周波数ホッピングサブバンドスキームを前記端末により現在使用されているＢＷＰに対応する周波数ホッピング規則として決定するステップと、
前記端末により現在使用されているＢＷＰに複数の周波数ホッピングサブバンドスキームが構成された場合、前記複数の周波数ホッピングサブバンドスキームから１つの周波数ホッピングサブバンドスキームを選択し、選択された周波数ホッピングサブバンドスキームを前記端末により現在使用されているＢＷＰに対応する周波数ホッピング規則として決定するステップと、を含む
ことを特徴とする請求項２に記載の方法。
【請求項４】
前記対応する周波数ホッピング規則を端末に送信するステップは、
第１の指示情報を生成するステップと、
前記端末が前記第１の指示情報に基づいて、前記端末により現在使用されているＢＷＰに対応する周波数ホッピングサブバンドスキームを取得するように、前記第１の指示情報を前記端末に送信するステップと、を含み、
前記第１の指示情報は、前記端末により現在使用されているＢＷＰに対応する周波数ホッピングサブバンドスキームを含む
ことを特徴とする請求項３に記載の方法。
【請求項５】
周波数ホッピング構成情報を生成するステップと、
前記端末が前記周波数ホッピング構成情報から、前記基地局が既に構成された各ＢＷＰに構成した１つ又は複数の異なる周波数ホッピングサブバンドスキームを取得するように、前記周波数ホッピング構成情報を前記端末に送信するステップと、をさらに含み、
前記周波数ホッピング構成情報は、前記基地局が既に構成された各ＢＷＰに構成した１つ又は複数の異なる周波数ホッピングサブバンドスキームを含む
ことを特徴とする請求項２に記載の方法。
【請求項６】
前記対応する周波数ホッピング規則を端末に送信するステップは、
第２の指示情報を生成するステップと、
前記端末が前記第２の指示情報に基づいて、周波数ホッピングサブバンドスキーム識別子を取得し、前記周波数ホッピングサブバンドスキーム識別子に基づいて、前記端末により現在使用されているＢＷＰに対応する周波数ホッピングサブバンドスキームを決定するように、前記第２の指示情報を前記端末に送信するステップと、を含み、
前記第２の指示情報は、前記周波数ホッピングサブバンドスキーム識別子を含み、前記周波数ホッピングサブバンドスキーム識別子は、前記端末により現在使用されているＢＷＰに対応する周波数ホッピングサブバンドスキームの識別子である
ことを特徴とする請求項５に記載の方法。
【請求項７】
前記既に構成された各ＢＷＰに周波数ホッピング規則を構成するステップは、
既に構成された各ＢＷＰに１つ又は複数の異なる指定周波数ホッピングオフセットを構成するステップを含む
ことを特徴とする請求項１に記載の方法。
【請求項８】
前記既に構成された周波数ホッピング規則に従って、前記端末により現在使用されているＢＷＰに対応する周波数ホッピング規則を決定するステップは、
前記端末により現在使用されているＢＷＰに１つの指定周波数ホッピングオフセットが構成された場合、この指定周波数ホッピングオフセットを前記端末により現在使用されているＢＷＰに対応する周波数ホッピング規則として決定するステップと、
前記端末により現在使用されているＢＷＰに複数の指定周波数ホッピングオフセットが構成された場合、前記複数の指定周波数ホッピングオフセットから１つの指定周波数ホッピングオフセットを選択し、選択された周波数ホッピングサブバンドスキームを前記端末により現在使用されているＢＷＰに対応する周波数ホッピング規則として決定するステップと、を含む
ことを特徴とする請求項７に記載の方法。
【請求項９】
前記対応する周波数ホッピング規則を端末に送信するステップは、
第３の指示情報を生成するステップと、
前記端末が前記第３の指示情報に基づいて、前記端末により現在使用されているＢＷＰに対応する指定周波数ホッピングオフセットを取得するように、前記第３の指示情報を前記端末に送信するステップと、を含み、
前記第３の指示情報は、前記端末により現在使用されているＢＷＰに対応する指定周波数ホッピングオフセットを含む
ことを特徴とする請求項８に記載の方法。
【請求項１０】
端末に用いられ、基地局により前記端末に少なくとも１つのＢＷＰが構成されており、
前記基地局により送信された周波数ホッピング規則を受信するステップと、
アップリンク伝送周波数ホッピングを行うとき、前記周波数ホッピング規則と周波数ホッピング前の第１の周波数領域リソース位置に基づいて、周波数ホッピング後の第２の周波数領域リソース位置を決定するステップと、
前記第２の周波数領域リソース位置でアップリンク伝送を行うステップと、を含み、
前記周波数ホッピング規則は、前記基地局が前記端末により現在使用されているＢＷＰに構成した周波数ホッピング規則である
ことを特徴とする周波数ホッピング構成方法。
【請求項１１】
前記基地局により送信された周波数ホッピング規則を受信するステップは、
前記基地局により送信された第１の指示情報を受信するステップと、
前記第１の指示情報に基づいて、前記端末により現在使用されているＢＷＰに対応する周波数ホッピングサブバンドスキームを取得するステップと、を含み、
前記第１の指示情報は、前記端末により現在使用されているＢＷＰに対応する周波数ホッピングサブバンドスキームを含み、前記周波数ホッピングサブバンドスキームには、少なくとも１つの周波数ホッピングサブバンドが含まれ、同じＢＷＰ内の周波数ホッピングサブバンドは、このＢＷＰ内の連続する周波数リソースセグメントである
ことを特徴とする請求項１０に記載の方法。
【請求項１２】
前記基地局により送信された周波数ホッピング構成情報を受信するステップと、
前記周波数ホッピング構成情報から、前記基地局が既に構成された各ＢＷＰに構成した１つ又は複数の異なる周波数ホッピングサブバンドスキームを取得するステップと、をさらに含み、
前記周波数ホッピング構成情報は、前記基地局が既に構成された各ＢＷＰに構成した１つ又は複数の異なる周波数ホッピングサブバンドスキームを含み、各周波数ホッピングサブバンドスキームには、少なくとも１つの周波数ホッピングサブバンドが含まれ、同じＢＷＰ内の周波数ホッピングサブバンドは、このＢＷＰ内の連続する周波数リソースセグメントである
ことを特徴とする請求項１０に記載の方法。
【請求項１３】
前記基地局により送信された周波数ホッピング規則を受信するステップは、
前記基地局により送信された第２の指示情報を受信するステップと、
前記第２の指示情報に基づいて、周波数ホッピングサブバンドスキーム識別子を取得するステップと、
前記周波数ホッピングサブバンドスキーム識別子に基づいて、前記端末により現在使用されているＢＷＰに対応する周波数ホッピングサブバンドスキームを決定するステップと、を含み、
前記第２の指示情報は、前記周波数ホッピングサブバンドスキーム識別子を含み、前記周波数ホッピングサブバンドスキーム識別子は、前記端末により現在使用されているＢＷＰに対応する周波数ホッピングサブバンドスキームの識別子である
ことを特徴とする請求項１２に記載の方法。
【請求項１４】
前記周波数ホッピング規則と周波数ホッピング前の第１の周波数領域リソース位置に基づいて、周波数ホッピング後の第２の周波数領域リソース位置を決定するステップは、
前記端末により現在使用されているＢＷＰに対応する周波数ホッピングサブバンドスキームに従って、前記第１の周波数領域リソース位置に対応する第１の周波数ホッピングサブバンドを決定するステップと、
前記第１の周波数ホッピングサブバンド及び前記第１の周波数領域リソース位置に基づいて、前記第２の周波数領域リソース位置を計算するステップと、を含む
ことを特徴とする請求項１１又は１３に記載の方法。
【請求項１５】
前記第１の周波数ホッピングサブバンド及び前記第１の周波数領域リソース位置に基づいて、前記第２の周波数領域リソース位置を計算するステップは、
前記第１の周波数ホッピングサブバンド内の前記第１の周波数領域リソース位置の鏡像位置を計算するステップ、又は
前記第１の周波数ホッピングサブバンドをアップリンクデータ伝送の伝送帯域幅とし、前記基地局により配信されたアップリンクスケジューリングシグナリング内の情報に基づいて、前記第２の周波数領域リソース位置を計算するステップを含み、
前記鏡像位置は、前記第２の周波数領域リソース位置である
ことを特徴とする請求項１４に記載の方法。
【請求項１６】
前記基地局により送信された周波数ホッピング規則を受信するステップは、
前記基地局により送信された第３の指示情報を受信するステップと、
前記第３の指示情報に基づいて、前記端末により現在使用されているＢＷＰに対応する指定周波数ホッピングオフセットを取得するステップと、を含み、
前記第３の指示情報は、前記端末により現在使用されているＢＷＰに対応する指定周波数ホッピングオフセットを含む
ことを特徴とする請求項１０に記載の方法。
【請求項１７】
前記周波数ホッピング規則と周波数ホッピング前の第１の周波数領域リソース位置に基づいて、周波数ホッピング後の第２の周波数領域リソース位置を決定するステップは、
前記端末により現在使用されているＢＷＰに対応する指定周波数ホッピングオフセット及び前記第１の周波数領域リソース位置に基づいて、前記第２の周波数領域リソース位置を決定するステップを含む
ことを特徴とする請求項１６に記載の方法。
【請求項１８】
基地局に使用され、前記基地局により端末に少なくとも１つのＢＷＰが構成されており、
既に構成された各ＢＷＰに周波数ホッピング規則を構成するように構成される構成モジュールと、
前記端末にアップリンク伝送周波数ホッピングを行うように指示するとき、既に構成された周波数ホッピング規則に従って、前記端末により現在使用されているＢＷＰに対応する周波数ホッピング規則を決定するように構成される周波数ホッピング規則決定モジュールと、
前記端末が前記対応する周波数ホッピング規則と周波数ホッピング前の第１の周波数領域リソース位置に基づいて、周波数ホッピング後の第２の周波数領域リソース位置を決定し、前記第２の周波数領域リソース位置でアップリンク伝送を行うように、前記対応する周波数ホッピング規則を端末に送信するように構成される第１の送信モジュールと、を備える
ことを特徴とする周波数ホッピング構成装置。
【請求項１９】
前記構成モジュールは、
既に構成された各ＢＷＰに１つ又は複数の異なる周波数ホッピングサブバンドスキームを構成するように構成される第１の構成サブモジュールを備え、
各周波数ホッピングサブバンドスキームには、少なくとも１つの周波数ホッピングサブバンドが含まれ、同じＢＷＰ内の周波数ホッピングサブバンドは、このＢＷＰ内の連続する周波数リソースセグメントである
ことを特徴とする請求項１８に記載の装置。
【請求項２０】
前記周波数ホッピング規則決定モジュールは、
前記端末により現在使用されているＢＷＰに１つの周波数ホッピングサブバンドスキームが構成された場合、この周波数ホッピングサブバンドスキームを前記端末により現在使用されているＢＷＰに対応する周波数ホッピング規則として決定するように構成される第１の決定サブモジュールと、
前記端末により現在使用されているＢＷＰに複数の周波数ホッピングサブバンドスキームが構成された場合、前記複数の周波数ホッピングサブバンドスキームから１つの周波数ホッピングサブバンドスキームを選択し、選択された周波数ホッピングサブバンドスキームを前記端末により現在使用されているＢＷＰに対応する周波数ホッピング規則として決定するように構成される第２の決定サブモジュールと、を備える
ことを特徴とする請求項１９に記載の装置。
【請求項２１】
前記第１の送信モジュールは、
第１の指示情報を生成するように構成される第１の生成サブモジュールと、
前記端末が前記第１の指示情報に基づいて、前記端末により現在使用されているＢＷＰに対応する周波数ホッピングサブバンドスキームを取得するように、前記第１の指示情報を前記端末に送信するように構成される第１の送信サブモジュールと、を備え、
前記第１の指示情報は、前記端末により現在使用されているＢＷＰに対応する周波数ホッピングサブバンドスキームを含む
ことを特徴とする請求項２０に記載の装置。
【請求項２２】
周波数ホッピング構成情報を生成するように構成される情報生成モジュールと、
前記端末が前記周波数ホッピング構成情報から、前記基地局が既に構成された各ＢＷＰに構成した１つ又は複数の異なる周波数ホッピングサブバンドスキームを取得するように、前記周波数ホッピング構成情報を前記端末に送信するように構成される第２の送信モジュールと、をさらに備え、
前記周波数ホッピング構成情報は、前記基地局が既に構成された各ＢＷＰに構成した１つ又は複数の異なる周波数ホッピングサブバンドスキームを含む
ことを特徴とする請求項１９に記載の装置。
【請求項２３】
前記第１の送信モジュールは、
第２の指示情報を生成するように構成される第２の生成サブモジュールと、
前記端末が前記第２の指示情報に基づいて、周波数ホッピングサブバンドスキーム識別子を取得し、前記周波数ホッピングサブバンドスキーム識別子に基づいて、前記端末により現在使用されているＢＷＰに対応する周波数ホッピングサブバンドスキームを決定するように、前記第２の指示情報を前記端末に送信するように構成される第２の送信サブモジュールと、を備え、
前記第２の指示情報は、前記周波数ホッピングサブバンドスキーム識別子を含み、前記周波数ホッピングサブバンドスキーム識別子は、前記端末により現在使用されているＢＷＰに対応する周波数ホッピングサブバンドスキームの識別子である
ことを特徴とする請求項２２に記載の装置。
【請求項２４】
前記構成モジュールは、
既に構成された各ＢＷＰに１つ又は複数の異なる指定周波数ホッピングオフセットを構成するように構成される第２の構成サブモジュールを備える
ことを特徴とする請求項１８に記載の装置。
【請求項２５】
前記周波数ホッピング規則決定モジュールは、
前記端末により現在使用されているＢＷＰに１つの指定周波数ホッピングオフセットが構成された場合、この指定周波数ホッピングオフセットを前記端末により現在使用されているＢＷＰに対応する周波数ホッピング規則として決定するように構成される第３の決定サブモジュールと、
前記端末により現在使用されているＢＷＰに複数の指定周波数ホッピングオフセットが構成された場合、前記複数の指定周波数ホッピングオフセットから１つの指定周波数ホッピングオフセットを選択し、選択された周波数ホッピングサブバンドスキームを前記端末により現在使用されているＢＷＰに対応する周波数ホッピング規則として決定するように構成される第４の決定サブモジュールと、を備える
ことを特徴とする請求項２４に記載の装置。
【請求項２６】
前記第１の送信モジュールは、
第３の指示情報を生成するように構成される第３の生成サブモジュールと、
前記端末が前記第３の指示情報に基づいて、前記端末により現在使用されているＢＷＰに対応する指定周波数ホッピングオフセットを取得するように、前記第３の指示情報を前記端末に送信するように構成される第３の送信サブモジュールと、を備え、
前記第３の指示情報は、前記端末により現在使用されているＢＷＰに対応する指定周波数ホッピングオフセットを含む
ことを特徴とする請求項２５に記載の装置。
【請求項２７】
端末に使用され、基地局により前記端末に少なくとも１つのＢＷＰが構成されており、
前記基地局により送信された周波数ホッピング規則を受信するように構成される第１の受信モジュールと、
アップリンク伝送周波数ホッピングを行うとき、前記周波数ホッピング規則と周波数ホッピング前の第１の周波数領域リソース位置に基づいて、周波数ホッピング後の第２の周波数領域リソース位置を決定するように構成されるリソース位置決定モジュールと、
前記第２の周波数領域リソース位置でアップリンク伝送を行うように構成されるアップリンク伝送モジュールと、を備え、
前記周波数ホッピング規則は、前記基地局が前記端末により現在使用されているＢＷＰに構成した周波数ホッピング規則である
ことを特徴とする周波数ホッピング構成装置。
【請求項２８】
前記第１の受信モジュールは、
前記基地局により送信された第１の指示情報を受信するように構成される第１の受信サブモジュールと、
前記第１の指示情報に基づいて、前記端末により現在使用されているＢＷＰに対応する周波数ホッピングサブバンドスキームを取得するように構成される第１の取得サブモジュールと、を備え、
前記第１の指示情報は、前記端末により現在使用されているＢＷＰに対応する周波数ホッピングサブバンドスキームを含み、前記周波数ホッピングサブバンドスキームには、少なくとも１つの周波数ホッピングサブバンドが含まれ、同じＢＷＰ内の周波数ホッピングサブバンドは、このＢＷＰ内の連続する周波数リソースセグメントである
ことを特徴とする請求項２７に記載の装置。
【請求項２９】
前記基地局により送信された周波数ホッピング構成情報を受信するように構成される第２の受信モジュールと、
前記周波数ホッピング構成情報から、前記基地局が既に構成された各ＢＷＰに構成した１つ又は複数の異なる周波数ホッピングサブバンドスキームを取得するように構成される取得モジュールと、をさらに備え、
前記周波数ホッピング構成情報は、前記基地局が既に構成された各ＢＷＰに構成した１つ又は複数の異なる周波数ホッピングサブバンドスキームを含み、各周波数ホッピングサブバンドスキームには、少なくとも１つの周波数ホッピングサブバンドが含まれ、同じＢＷＰ内の周波数ホッピングサブバンドは、このＢＷＰ内の連続する周波数リソースセグメントである
ことを特徴とする請求項２７に記載の装置。
【請求項３０】
前記第１の受信モジュールは、
前記基地局により送信された第２の指示情報を受信するように構成される第２の受信サブモジュールと、
前記第２の指示情報に基づいて、周波数ホッピングサブバンドスキーム識別子を取得するように構成される第２の取得サブモジュールと、
前記周波数ホッピングサブバンドスキーム識別子に基づいて、前記端末により現在使用されているＢＷＰに対応する周波数ホッピングサブバンドスキームを決定するように構成される周波数ホッピングスキーム決定サブモジュールと、を備え、
前記第２の指示情報は、前記周波数ホッピングサブバンドスキーム識別子を含み、前記周波数ホッピングサブバンドスキーム識別子は、前記端末により現在使用されているＢＷＰに対応する周波数ホッピングサブバンドスキームの識別子である
ことを特徴とする請求項２９に記載の装置。
【請求項３１】
前記リソース位置決定モジュールは、
前記端末により現在使用されているＢＷＰに対応する周波数ホッピングサブバンドスキームに従って、前記第１の周波数領域リソース位置に対応する第１の周波数ホッピングサブバンドを決定するように構成される周波数ホッピングサブバンド決定サブモジュールと、
前記第１の周波数ホッピングサブバンド及び前記第１の周波数領域リソース位置に基づいて、前記第２の周波数領域リソース位置を計算するように構成される第１の計算サブモジュールと、を備える
ことを特徴とする請求項２８又は３０に記載の装置。
【請求項３２】
前記第１の計算サブモジュールは、
前記第１の周波数ホッピングサブバンド内の前記第１の周波数領域リソース位置の鏡像位置を計算するように構成される第２の計算サブモジュール、又は
前記第１の周波数ホッピングサブバンドを前記アップリンクデータ伝送の伝送帯域幅とし、前記基地局により配信されたアップリンクスケジューリングシグナリング内の情報に基づいて、前記第２の周波数領域リソース位置を計算するように構成される第３の計算サブモジュールを備え、
前記鏡像位置は、前記第２の周波数領域リソース位置である
ことを特徴とする請求項３１に記載の装置。
【請求項３３】
前記第１の受信モジュールは、
前記基地局により送信された第３の指示情報を受信するように構成される第３の受信サブモジュールと、
前記第３の指示情報に基づいて、前記端末により現在使用されているＢＷＰに対応する指定周波数ホッピングオフセットを取得するように構成される第３の取得サブモジュールと、を備え、
前記第３の指示情報は、前記端末により現在使用されているＢＷＰに対応する指定周波数ホッピングオフセットを含む
ことを特徴とする請求項２７に記載の装置。
【請求項３４】
前記リソース位置決定モジュールは、
前記端末により現在使用されているＢＷＰに対応する指定周波数ホッピングオフセット及び前記第１の周波数領域リソース位置に基づいて、前記第２の周波数領域リソース位置を決定するように構成されるリソース位置決定サブモジュールを備える
ことを特徴とする請求項３３に記載の装置。
【請求項３５】
コンピュータプログラムが記憶された非一時的コンピュータ読み取り可能な記録媒体であって、前記コンピュータプログラムは、上記の請求項１〜９のいずれか１項に記載の周波数ホッピング構成方法を実行するために使用される
ことを特徴とする非一時的コンピュータ読み取り可能な記録媒体。
【請求項３６】
コンピュータプログラムが記憶された非一時的コンピュータ読み取り可能な記録媒体であって、前記コンピュータプログラムは、上記の請求項１０〜１７のいずれか１項に記載の周波数ホッピング構成方法を実行するために使用される
ことを特徴とする非一時的コンピュータ読み取り可能な記録媒体。
【請求項３７】
基地局に使用され、前記基地局により端末に少なくとも１つのＢＷＰが構成されており、
プロセッサーと、
プロセッサーで実行可能な命令を記憶するためのメモリとを備え、
前記プロセッサーは、
既に構成された各ＢＷＰに周波数ホッピング規則を構成し、
前記端末にアップリンク伝送周波数ホッピングを行うように指示するとき、既に構成された周波数ホッピング規則に従って、前記端末により現在使用されているＢＷＰに対応する周波数ホッピング規則を決定し、
前記端末が前記対応する周波数ホッピング規則と周波数ホッピング前の第１の周波数領域リソース位置に基づいて、周波数ホッピング後の第２の周波数領域リソース位置を決定し、前記第２の周波数領域リソース位置でアップリンク伝送を行うように、前記対応する周波数ホッピング規則を端末に送信するように構成される
ことを特徴とする周波数ホッピング構成装置。
【請求項３８】
端末に使用され、基地局により前記端末に少なくとも１つのＢＷＰが構成されており、
プロセッサーと、
プロセッサーで実行可能な命令を記憶するためのメモリとを備え、
前記プロセッサーは、
前記基地局により送信された周波数ホッピング規則を受信し、
アップリンク伝送周波数ホッピングを行うとき、前記周波数ホッピング規則と周波数ホッピング前の第１の周波数領域リソース位置に基づいて、周波数ホッピング後の第２の周波数領域リソース位置を決定し、
前記第２の周波数領域リソース位置でアップリンク伝送を行うように構成され、
前記周波数ホッピング規則は、前記基地局が前記端末により現在使用されているＢＷＰに構成した周波数ホッピング規則である
ことを特徴とする周波数ホッピング構成装置。
【発明の詳細な説明】
【技術分野】
【０００１】
本発明は、通信技術分野に関し、特に周波数ホッピング構成方法及び装置に関する。
【背景技術】
【０００２】
周波数ホッピングは、通信システムでよく使用される技術であり、異なる周波数領域リソース上で伝送することにより、チャネル周波数ダイバーシティのゲインを取得するのに役立つ。関連技術において、同じセル内のユーザ機器は、同じシステム帯域幅及びセル構成情報を使用し、同じ周波数ホッピング方法を選択することができる。ただし、新世代の通信システムでは、システムにより異なるユーザ機器に異なるＢＷＰ（Ｂａｎｄ  Ｗｉｄｔｈ  Ｐａｒｔ、帯域幅部分）が構成されることができ、関連技術におけるアップリンク周波数ホッピング設計を使用し続けると、基地局のスケジューリングの複雑さを増加させ、システムリソースの使用の断片化も増加させ、システムリソースの使用効率が低減される。
【発明の概要】
【発明が解決しようとする課題】
【０００３】
本発明の実施例は、関連技術に存在する問題を克服するための、周波数ホッピング構成方法及び装置を提供する。
【課題を解決するための手段】
【０００４】
本発明の実施例の第１の態様によれば、周波数ホッピング構成方法が提供され、前記方法は基地局に用いられ、前記基地局により端末に少なくとも１つのＢＷＰが構成されており、前記方法は、
既に構成された各ＢＷＰに周波数ホッピング規則を構成するステップと、
前記端末にアップリンク伝送周波数ホッピングを行うように指示するとき、既に構成された周波数ホッピング規則に従って、前記端末により現在使用されているＢＷＰに対応する周波数ホッピング規則を決定するステップと、
前記端末が前記対応する周波数ホッピング規則と周波数ホッピング前の第１の周波数領域リソース位置に基づいて、周波数ホッピング後の第２の周波数領域リソース位置を決定し、前記第２の周波数領域リソース位置でアップリンク伝送を行うように、前記対応する周波数ホッピング規則を端末に送信するステップと、を含む。
【０００５】
選択的に、前記既に構成された各ＢＷＰに周波数ホッピング規則を構成するステップは、
既に構成された各ＢＷＰに１つ又は複数の異なる周波数ホッピングサブバンドスキームを構成するステップを含み、
各周波数ホッピングサブバンドスキームには、少なくとも１つの周波数ホッピングサブバンドが含まれ、同じＢＷＰ内の周波数ホッピングサブバンドは、このＢＷＰ内の連続する周波数リソースセグメントである。
【０００６】
選択的に、前記既に構成された周波数ホッピング規則に従って、前記端末により現在使用されているＢＷＰに対応する周波数ホッピング規則を決定するステップは、
前記端末により現在使用されているＢＷＰに１つの周波数ホッピングサブバンドスキームが構成された場合、この周波数ホッピングサブバンドスキームを前記端末により現在使用されているＢＷＰに対応する周波数ホッピング規則として決定するステップと、
前記端末により現在使用されているＢＷＰに複数の周波数ホッピングサブバンドスキームが構成された場合、前記複数の周波数ホッピングサブバンドスキームから１つの周波数ホッピングサブバンドスキームを選択し、選択された周波数ホッピングサブバンドスキームを前記端末により現在使用されているＢＷＰに対応する周波数ホッピング規則として決定するステップと、を含む。
【０００７】
選択的に、前記対応する周波数ホッピング規則を端末に送信するステップは、
第１の指示情報を生成するステップと、
前記端末が前記第１の指示情報に基づいて、前記端末により現在使用されているＢＷＰに対応する周波数ホッピングサブバンドスキームを取得するように、前記第１の指示情報を前記端末に送信するステップと、を含み、
前記第１の指示情報は、前記端末により現在使用されているＢＷＰに対応する周波数ホッピングサブバンドスキームを含む。
【０００８】
選択的に、前記方法は、
周波数ホッピング構成情報を生成するステップと、
前記端末が前記周波数ホッピング構成情報から、前記基地局が既に構成された各ＢＷＰに構成した１つ又は複数の異なる周波数ホッピングサブバンドスキームを取得するように、前記周波数ホッピング構成情報を前記端末に送信するステップと、をさらに含み、
前記周波数ホッピング構成情報は、前記基地局が既に構成された各ＢＷＰに構成した１つ又は複数の異なる周波数ホッピングサブバンドスキームを含む。
【０００９】
選択的に、前記対応する周波数ホッピング規則を端末に送信するステップは、
第２の指示情報を生成するステップと、
前記端末が前記第２の指示情報に基づいて、前記周波数ホッピングサブバンドスキーム識別子を取得し、前記周波数ホッピングサブバンドスキーム識別子に基づいて、前記端末により現在使用されているＢＷＰに対応する周波数ホッピングサブバンドスキームを決定するように、前記第２の指示情報を前記端末に送信するステップと、を含み、
前記第２の指示情報は、周波数ホッピングサブバンドスキーム識別子を含み、前記周波数ホッピングサブバンドスキーム識別子は、前記端末により現在使用されているＢＷＰに対応する周波数ホッピングサブバンドスキームの識別子である。
【００１０】
選択的に、前記既に構成された各ＢＷＰに周波数ホッピング規則を構成するステップは、
既に構成された各ＢＷＰに１つ又は複数の異なる指定周波数ホッピングオフセットを構成するステップを含む。
【００１１】
選択的に、前記既に構成された周波数ホッピング規則に従って、前記端末により現在使用されているＢＷＰに対応する周波数ホッピング規則を決定するステップは、
前記端末により現在使用されているＢＷＰに１つの指定周波数ホッピングオフセットが構成された場合、この指定周波数ホッピングオフセットを前記端末により現在使用されているＢＷＰに対応する周波数ホッピング規則として決定するステップと、
前記端末により現在使用されているＢＷＰに複数の指定周波数ホッピングオフセットが構成された場合、前記複数の指定周波数ホッピングオフセットから１つの指定周波数ホッピングオフセットを選択し、選択された周波数ホッピングサブバンドスキームを前記端末により現在使用されているＢＷＰに対応する周波数ホッピング規則として決定するステップと、を含む。
【００１２】
選択的に、前記対応する周波数ホッピング規則を端末に送信するステップは、
第３の指示情報を生成するステップと、
前記端末が前記第３の指示情報に基づいて、前記端末により現在使用されているＢＷＰに対応する指定周波数ホッピングオフセットを取得するように、前記第３の指示情報を前記端末に送信するステップと、を含み、
前記第３の指示情報は、前記端末により現在使用されているＢＷＰに対応する指定周波数ホッピングオフセットを含む。
【００１３】
本発明の実施例の第２の態様によれば、周波数ホッピング構成方法が提供され、前記方法は端末に用いられ、基地局により前記端末に少なくとも１つのＢＷＰが構成されており、前記方法は、
前記基地局により送信された周波数ホッピング規則を受信するステップと、
アップリンク伝送周波数ホッピングを行うとき、前記周波数ホッピング規則と周波数ホッピング前の第１の周波数領域リソース位置に基づいて、周波数ホッピング後の第２の周波数領域リソース位置を決定するステップと、
前記第２の周波数領域リソース位置でアップリンク伝送を行うステップと、を含み、
前記周波数ホッピング規則は、前記基地局が前記端末により現在使用されているＢＷＰに構成した周波数ホッピング規則である。
【００１４】
選択的に、前記基地局により送信された周波数ホッピング規則を受信するステップは、
前記基地局により送信された第１の指示情報を受信するステップと、
前記第１の指示情報に基づいて、前記端末により現在使用されているＢＷＰに対応する周波数ホッピングサブバンドスキームを取得するステップと、を含み、
前記第１の指示情報は、前記端末により現在使用されているＢＷＰに対応する周波数ホッピングサブバンドスキームを含み、前記周波数ホッピングサブバンドスキームには、少なくとも１つの周波数ホッピングサブバンドが含まれ、同じＢＷＰ内の周波数ホッピングサブバンドは、このＢＷＰ内の連続する周波数リソースセグメントである。
【００１５】
選択的に、前記方法は、
前記基地局により送信された周波数ホッピング構成情報を受信するステップと、
前記周波数ホッピング構成情報から、前記基地局が既に構成された各ＢＷＰに構成した１つ又は複数の異なる周波数ホッピングサブバンドスキームを取得するステップと、をさらに含み、
前記周波数ホッピング構成情報は、前記基地局が既に構成された各ＢＷＰに構成した１つ又は複数の異なる周波数ホッピングサブバンドスキームを含み、各周波数ホッピングサブバンドスキームには、少なくとも１つの周波数ホッピングサブバンドが含まれ、同じＢＷＰ内の周波数ホッピングサブバンドは、このＢＷＰ内の連続する周波数リソースセグメントである。
【００１６】
選択的に、前記基地局により送信された周波数ホッピング規則を受信するステップは、
前記基地局により送信された第２の指示情報を受信するステップと、
前記第２の指示情報に基づいて、前記周波数ホッピングサブバンドスキーム識別子を取得するステップと、
前記周波数ホッピングサブバンドスキーム識別子に基づいて、前記端末により現在使用されているＢＷＰに対応する周波数ホッピングサブバンドスキームを決定するステップと、を含み、
前記第２の指示情報は、周波数ホッピングサブバンドスキーム識別子を含み、前記周波数ホッピングサブバンドスキーム識別子は、前記端末により現在使用されているＢＷＰに対応する周波数ホッピングサブバンドスキームの識別子である。
【００１７】
選択的に、前記周波数ホッピング規則と周波数ホッピング前の第１の周波数領域リソース位置に基づいて、周波数ホッピング後の第２の周波数領域リソース位置を決定するステップは、
前記端末により現在使用されているＢＷＰに対応する周波数ホッピングサブバンドスキームに従って、前記第１の周波数領域リソース位置に対応する第１の周波数ホッピングサブバンドを決定するステップと、
前記第１の周波数ホッピングサブバンド及び前記第１の周波数領域リソース位置に基づいて、前記第２の周波数領域リソース位置を計算するステップと、を含む。
【００１８】
選択的に、前記第１の周波数ホッピングサブバンド及び前記第１の周波数領域リソース位置に基づいて、前記第２の周波数領域リソース位置を計算するステップは、
前記第１の周波数ホッピングサブバンド内の前記第１の周波数領域リソース位置の鏡像位置を計算するステップ、又は
前記第１の周波数ホッピングサブバンドをアップリンクデータ伝送の伝送帯域幅とし、前記基地局により配信されたアップリンクスケジューリングシグナリング内の情報に基づいて、前記第２の周波数領域リソース位置を計算するステップを含み、
前記鏡像位置は、前記第２の周波数領域リソース位置である。
【００１９】
選択的に、前記基地局により送信された周波数ホッピング規則を受信するステップは、
前記基地局により送信された第３の指示情報を受信するステップと、
前記第３の指示情報に基づいて、前記端末により現在使用されているＢＷＰに対応する指定周波数ホッピングオフセットを取得するステップと、を含み、
前記第３の指示情報は、前記端末により現在使用されているＢＷＰに対応する指定周波数ホッピングオフセットを含む。
【００２０】
選択的に、前記周波数ホッピング規則と周波数ホッピング前の第１の周波数領域リソース位置に基づいて、周波数ホッピング後の第２の周波数領域リソース位置を決定するステップは、
前記端末により現在使用されているＢＷＰに対応する指定周波数ホッピングオフセット及び前記第１の周波数領域リソース位置に基づいて、前記第２の周波数領域リソース位置を決定するステップを含む。
【００２１】
本発明の実施例の第３の態様によれば、周波数ホッピング構成装置が提供され、前記装置は基地局に使用され、前記基地局により端末に少なくとも１つのＢＷＰが構成されており、前記装置は、
既に構成された各ＢＷＰに周波数ホッピング規則を構成するように構成される構成モジュールと、
前記端末にアップリンク伝送周波数ホッピングを行うように指示するとき、既に構成された周波数ホッピング規則に従って、前記端末により現在使用されているＢＷＰに対応する周波数ホッピング規則を決定するように構成される周波数ホッピング規則決定モジュールと、
前記端末が前記対応する周波数ホッピング規則と周波数ホッピング前の第１の周波数領域リソース位置に基づいて、周波数ホッピング後の第２の周波数領域リソース位置を決定し、前記第２の周波数領域リソース位置でアップリンク伝送を行うように、前記対応する周波数ホッピング規則を端末に送信するように構成される第１の送信モジュールと、を備える。
【００２２】
選択的に、前記構成モジュールは、
既に構成された各ＢＷＰに１つ又は複数の異なる周波数ホッピングサブバンドスキームを構成するように構成される第１の構成サブモジュールを備え、
各周波数ホッピングサブバンドスキームには、少なくとも１つの周波数ホッピングサブバンドが含まれ、同じＢＷＰ内の周波数ホッピングサブバンドは、このＢＷＰ内の連続する周波数リソースセグメントである。
【００２３】
選択的に、前記周波数ホッピング規則決定モジュールは、
前記端末により現在使用されているＢＷＰに１つの周波数ホッピングサブバンドスキームが構成された場合、この周波数ホッピングサブバンドスキームを前記端末により現在使用されているＢＷＰに対応する周波数ホッピング規則として決定するように構成される第１の決定サブモジュールと、
前記端末により現在使用されているＢＷＰに複数の周波数ホッピングサブバンドスキームが構成された場合、前記複数の周波数ホッピングサブバンドスキームから１つの周波数ホッピングサブバンドスキームを選択し、選択された周波数ホッピングサブバンドスキームを前記端末により現在使用されているＢＷＰに対応する周波数ホッピング規則として決定するように構成される第２の決定サブモジュールと、を備える。
【００２４】
選択的に、前記第１の送信モジュールは、
第１の指示情報を生成するように構成される第１の生成サブモジュールと、
前記端末が前記第１の指示情報に基づいて、前記端末により現在使用されているＢＷＰに対応する周波数ホッピングサブバンドスキームを取得するように、前記第１の指示情報を前記端末に送信するように構成される第１の送信サブモジュールと、を備え、
前記第１の指示情報は、前記端末により現在使用されているＢＷＰに対応する周波数ホッピングサブバンドスキームを含む。
【００２５】
選択的に、前記装置は、
周波数ホッピング構成情報を生成するように構成される情報生成モジュールと、
前記端末が前記周波数ホッピング構成情報から、前記基地局が既に構成された各ＢＷＰに構成した１つ又は複数の異なる周波数ホッピングサブバンドスキームを取得するように、前記周波数ホッピング構成情報を前記端末に送信するように構成される第２の送信モジュールと、をさらに備え、
前記周波数ホッピング構成情報は、前記基地局が既に構成された各ＢＷＰに構成した１つ又は複数の異なる周波数ホッピングサブバンドスキームを含む。
【００２６】
選択的に、前記第１の送信モジュールは、
第２の指示情報を生成するように構成される第２の生成サブモジュールと、
前記端末が前記第２の指示情報に基づいて、前記周波数ホッピングサブバンドスキーム識別子を取得し、前記周波数ホッピングサブバンドスキーム識別子に基づいて、前記端末により現在使用されているＢＷＰに対応する周波数ホッピングサブバンドスキームを決定するように、前記第２の指示情報を前記端末に送信するように構成される第２の送信サブモジュールと、を備え、
前記第２の指示情報は、周波数ホッピングサブバンドスキーム識別子を含み、前記周波数ホッピングサブバンドスキーム識別子は、前記端末により現在使用されているＢＷＰに対応する周波数ホッピングサブバンドスキームの識別子である。
【００２７】
選択的に、前記構成モジュールは、
既に構成された各ＢＷＰに１つ又は複数の異なる指定周波数ホッピングオフセットを構成するように構成される第２の構成サブモジュールを備える。
【００２８】
選択的に、前記周波数ホッピング規則決定モジュールは、
前記端末により現在使用されているＢＷＰに１つの指定周波数ホッピングオフセットが構成された場合、この指定周波数ホッピングオフセットを前記端末により現在使用されているＢＷＰに対応する周波数ホッピング規則として決定するように構成される第３の決定サブモジュールと、
前記端末により現在使用されているＢＷＰに複数の指定周波数ホッピングオフセットが構成された場合、前記複数の指定周波数ホッピングオフセットから１つの指定周波数ホッピングオフセットを選択し、選択された周波数ホッピングサブバンドスキームを前記端末により現在使用されているＢＷＰに対応する周波数ホッピング規則として決定するように構成される第４の決定サブモジュールと、を備える。
【００２９】
選択的に、前記第１の送信モジュールは、
第３の指示情報を生成するように構成される第３の生成サブモジュールと、
前記端末が前記第３の指示情報に基づいて、前記端末により現在使用されているＢＷＰに対応する指定周波数ホッピングオフセットを取得するように、前記第３の指示情報を前記端末に送信するように構成される第３の送信サブモジュールと、を備え、
前記第３の指示情報は、前記端末により現在使用されているＢＷＰに対応する指定周波数ホッピングオフセットを含む。
【００３０】
本発明の実施例の第４の態様によれば、周波数ホッピング構成装置が提供され、前記装置は端末に使用され、基地局により前記端末に少なくとも１つのＢＷＰが構成されており、前記装置は、
前記基地局により送信された周波数ホッピング規則を受信するように構成される第１の受信モジュールと、
アップリンク伝送周波数ホッピングを行うとき、前記周波数ホッピング規則と周波数ホッピング前の第１の周波数領域リソース位置に基づいて、周波数ホッピング後の第２の周波数領域リソース位置を決定するように構成されるリソース位置決定モジュールと、
前記第２の周波数領域リソース位置でアップリンク伝送を行うように構成されるアップリンク伝送モジュールと、を備え、
前記周波数ホッピング規則は、前記基地局が前記端末により現在使用されているＢＷＰに構成した周波数ホッピング規則である。
【００３１】
選択的に、前記第１の受信モジュールは、
前記基地局により送信された第１の指示情報を受信するように構成される第１の受信サブモジュールと、
前記第１の指示情報に基づいて、前記端末により現在使用されているＢＷＰに対応する周波数ホッピングサブバンドスキームを取得するように構成される第１の取得サブモジュールと、を備え、
前記第１の指示情報は、前記端末により現在使用されているＢＷＰに対応する周波数ホッピングサブバンドスキームを含み、前記周波数ホッピングサブバンドスキームには、少なくとも１つの周波数ホッピングサブバンドが含まれ、同じＢＷＰ内の周波数ホッピングサブバンドは、このＢＷＰ内の連続する周波数リソースセグメントである。
【００３２】
選択的に、前記装置は、
前記基地局により送信された周波数ホッピング構成情報を受信するように構成される第２の受信モジュールと、
前記周波数ホッピング構成情報から、前記基地局が既に構成された各ＢＷＰに構成した１つ又は複数の異なる周波数ホッピングサブバンドスキームを取得するように構成される取得モジュールと、をさらに備え、
前記周波数ホッピング構成情報は、前記基地局が既に構成された各ＢＷＰに構成した１つ又は複数の異なる周波数ホッピングサブバンドスキームを含み、各周波数ホッピングサブバンドスキームには、少なくとも１つの周波数ホッピングサブバンドが含まれ、同じＢＷＰ内の周波数ホッピングサブバンドは、このＢＷＰ内の連続する周波数リソースセグメントである。
【００３３】
選択的に、前記第１の受信モジュールは、
前記基地局により送信された第２の指示情報を受信するように構成される第２の受信サブモジュールと、
前記第２の指示情報に基づいて、前記周波数ホッピングサブバンドスキーム識別子を取得するように構成される第２の取得サブモジュールと、
前記周波数ホッピングサブバンドスキーム識別子に基づいて、前記端末により現在使用されているＢＷＰに対応する周波数ホッピングサブバンドスキームを決定するように構成される周波数ホッピングスキーム決定サブモジュールと、を備え、
前記第２の指示情報は、周波数ホッピングサブバンドスキーム識別子を含み、前記周波数ホッピングサブバンドスキーム識別子は、前記端末により現在使用されているＢＷＰに対応する周波数ホッピングサブバンドスキームの識別子である。
【００３４】
選択的に、前記リソース位置決定モジュールは、
前記端末により現在使用されているＢＷＰに対応する周波数ホッピングサブバンドスキームに従って、前記第１の周波数領域リソース位置に対応する第１の周波数ホッピングサブバンドを決定するように構成される周波数ホッピングサブバンド決定サブモジュールと、
前記第１の周波数ホッピングサブバンド及び前記第１の周波数領域リソース位置に基づいて、前記第２の周波数領域リソース位置を計算するように構成される第１の計算サブモジュールと、を備える。
【００３５】
選択的に、前記第１の計算サブモジュールは、
前記第１の周波数ホッピングサブバンド内の前記第１の周波数領域リソース位置の鏡像位置を計算するように構成される第２の計算サブモジュール、又は
前記第１の周波数ホッピングサブバンドを前記アップリンクデータ伝送の伝送帯域幅とし、前記基地局により配信されたアップリンクスケジューリングシグナリング内の情報に基づいて、前記第２の周波数領域リソース位置を計算するように構成される第３の計算サブモジュールを備え、
前記鏡像位置は、前記第２の周波数領域リソース位置である。
【００３６】
選択的に、前記第１の受信モジュールは、
前記基地局により送信された第３の指示情報を受信するように構成される第３の受信サブモジュールと、
前記第３の指示情報に基づいて、前記端末により現在使用されているＢＷＰに対応する指定周波数ホッピングオフセットを取得するように構成される第３の取得サブモジュールと、を備え、
前記第３の指示情報は、前記端末により現在使用されているＢＷＰに対応する指定周波数ホッピングオフセットを含む。
【００３７】
選択的に、前記リソース位置決定モジュールは、
前記端末により現在使用されているＢＷＰに対応する指定周波数ホッピングオフセット及び前記第１の周波数領域リソース位置に基づいて、前記第２の周波数領域リソース位置を決定するように構成されるリソース位置決定サブモジュールを備える。
【００３８】
本発明の実施例の第５の態様によれば、コンピュータプログラムが記憶された非一時的コンピュータ読み取り可能な記録媒体が提供され、前記コンピュータプログラムは、上記の第１の態様に記載の周波数ホッピング構成方法を実行するために使用される。
【００３９】
本発明の実施例の第６の態様によれば、コンピュータプログラムが記憶された非一時的コンピュータ読み取り可能な記録媒体が提供され、前記コンピュータプログラムは、上記の第１の態様に記載の周波数ホッピング構成方法を実行するために使用される。
【００４０】
本発明の実施例の第７の態様によれば、周波数ホッピング構成装置が提供され、前記装置は基地局に使用され、前記基地局により端末に少なくとも１つのＢＷＰが構成されており、前記装置は、
プロセッサーと、
プロセッサーで実行可能な命令を記憶するためのメモリとを備え、
前記プロセッサーは、
既に構成された各ＢＷＰに周波数ホッピング規則を構成し、
前記端末にアップリンク伝送周波数ホッピングを行うように指示するとき、既に構成された周波数ホッピング規則に従って、前記端末により現在使用されているＢＷＰに対応する周波数ホッピング規則を決定し、
前記端末が前記対応する周波数ホッピング規則と周波数ホッピング前の第１の周波数領域リソース位置に基づいて、周波数ホッピング後の第２の周波数領域リソース位置を決定し、前記第２の周波数領域リソース位置でアップリンク伝送を行うように、前記対応する周波数ホッピング規則を端末に送信するように構成される。
【００４１】
本発明の実施例の第８の態様によれば、周波数ホッピング構成装置が提供され、前記装置は端末に使用され、基地局により前記端末に少なくとも１つのＢＷＰが構成されており、前記装置は、
プロセッサーと、
プロセッサーで実行可能な命令を記憶するためのメモリとを備え、
前記プロセッサーは、
前記基地局により送信された周波数ホッピング規則を受信し、
アップリンク伝送周波数ホッピングを行うとき、前記周波数ホッピング規則と周波数ホッピング前の第１の周波数領域リソース位置に基づいて、周波数ホッピング後の第２の周波数領域リソース位置を決定し、
前記第２の周波数領域リソース位置でアップリンク伝送を行うように構成され、
前記周波数ホッピング規則は、前記基地局が前記端末により現在使用されているＢＷＰに構成した周波数ホッピング規則である。
【発明の効果】
【００４２】
本発明に提供された技術案によれば、以下のような技術効果が奏される。
【００４３】
本発明における基地局は、既に構成された各ＢＷＰに周波数ホッピング規則を構成し、端末にアップリンク伝送周波数ホッピングを行うように指示するとき、既に構成された周波数ホッピング規則に従って、この端末により現在使用されているＢＷＰに対応する周波数ホッピング規則を決定し、端末により現在使用されているＢＷＰに対応する周波数ホッピング規則を端末に送信することができ、したがって、端末は、基地局により指示される周波数ホッピング規則と周波数ホッピング前の第１の周波数領域リソース位置に基づいて、周波数ホッピング後の第２の周波数領域リソース位置を決定し、第２の周波数領域リソース位置でアップリンク伝送を行うことができ、これにより、端末が基地局により指示される周波数ホッピング規則下で、アップリンク伝送周波数ホッピングを完了することを実現し、アップリンクスケジューリングの複雑さを低減するだけでなく、システムリソースの断片化も軽減し、システムリソースの使用効率を向上させた。
【００４４】
本発明における端末は、基地局により送信された周波数ホッピング規則を受信し、アップリンク伝送周波数ホッピングを行うとき、周波数ホッピング規則と周波数ホッピング前の第１の周波数領域リソース位置に基づいて、周波数ホッピング後の第２の周波数領域リソース位置を決定し、第２の周波数領域リソース位置でアップリンク伝送を行うことができ、この周波数ホッピング規則は、基地局が端末により現在使用されているＢＷＰに構成した周波数ホッピング規則であり、これにより、基地局により指示される周波数ホッピング規則下で、アップリンク伝送周波数ホッピングを完了することを実現し、アップリンクスケジューリングの複雑さを低減するだけでなく、システムリソースの断片化も軽減し、システムリソースの使用効率を向上させた。
【００４５】
なお、前記一般的な記載及び後述の詳細な記載は、単なる例示的で解釈的な記載であり、本発明を限定しない。
【図面の簡単な説明】
【００４６】
ここの図面は、明細書に組み入れて本明細書の一部分を構成し、本発明に該当する実施例を例示するとともに、明細書とともに本発明の原理を解釈する。
【図１】一例示的な実施例に係る周波数ホッピング構成方法を示すフローチャートである。
【図２】一例示的な実施例に係る周波数ホッピング構成方法を示すシナリオ図である。
【図３】一例示的な実施例に係る別の周波数ホッピング構成方法を示すフローチャートである。
【図４】一例示的な実施例に係る周波数ホッピングサブバンドスキームを示す模式図である。
【図５】一例示的な実施例に係る別の周波数ホッピングサブバンドスキームを示す模式図である。
【図６】一例示的な実施例に係る別の周波数ホッピングサブバンドスキームを示す模式図である。
【図７】一例示的な実施例に係る別の周波数ホッピング構成方法を示すフローチャートである。
【図８】一例示的な実施例に係る別の周波数ホッピング構成方法を示すフローチャートである。
【図９】一例示的な実施例に係る別の周波数ホッピング構成方法を示すフローチャートである。
【図１０】一例示的な実施例に係る別の周波数ホッピング構成方法を示すフローチャートである。
【図１１】一例示的な実施例に係る別の周波数ホッピング構成方法を示すフローチャートである。
【図１２】一例示的な実施例に係る別の周波数ホッピング構成方法を示すフローチャートである。
【図１３】一例示的な実施例に係る別の周波数ホッピング構成方法を示すフローチャートである。
【図１４】一例示的な実施例に係る周波数ホッピング構成方法を示すフローチャートである。
【図１５】一例示的な実施例に係る別の周波数ホッピング構成方法を示すフローチャートである。
【図１６】一例示的な実施例に係る別の周波数ホッピング構成方法を示すフローチャートである。
【図１７】一例示的な実施例に係る別の周波数ホッピング構成方法を示すフローチャートである。
【図１８】一例示的な実施例に係る別の周波数ホッピング構成方法を示すフローチャートである。
【図１９】一例示的な実施例に係る別の周波数ホッピング構成方法を示すフローチャートである。
【図２０】一例示的な実施例に係る別の周波数ホッピング構成方法を示すフローチャートである。
【図２１】一例示的な実施例に係る別の周波数ホッピング構成方法を示すフローチャートである。
【図２２】一例示的な実施例に係る周波数ホッピング構成装置を示すブロック図である。
【図２３】一例示的な実施例に係る別の周波数ホッピング構成装置を示すブロック図である。
【図２４】一例示的な実施例に係る別の周波数ホッピング構成装置を示すブロック図である。
【図２５】一例示的な実施例に係る別の周波数ホッピング構成装置を示すブロック図である。
【図２６】一例示的な実施例に係る別の周波数ホッピング構成装置を示すブロック図である。
【図２７】一例示的な実施例に係る別の周波数ホッピング構成装置を示すブロック図である。
【図２８】一例示的な実施例に係る別の周波数ホッピング構成装置を示すブロック図である。
【図２９】一例示的な実施例に係る別の周波数ホッピング構成装置を示すブロック図である。
【図３０】一例示的な実施例に係る別の周波数ホッピング構成装置を示すブロック図である。
【図３１】一例示的な実施例に係る周波数ホッピング構成装置を示すブロック図である。
【図３２】一例示的な実施例に係る周波数ホッピング構成装置を示すブロック図である。
【図３３】一例示的な実施例に係る周波数ホッピング構成装置を示すブロック図である。
【図３４】一例示的な実施例に係る周波数ホッピング構成装置を示すブロック図である。
【図３５】一例示的な実施例に係る周波数ホッピング構成装置を示すブロック図である。
【図３６】一例示的な実施例に係る周波数ホッピング構成装置を示すブロック図である。
【図３７】一例示的な実施例に係る周波数ホッピング構成装置を示すブロック図である。
【図３８】一例示的な実施例に係る周波数ホッピング構成装置を示すブロック図である。
【図３９】一例示的な実施例に係る周波数ホッピング構成装置を示す構造模式図である。
【図４０】一例示的な実施例に係る周波数ホッピング構成装置を示す構造模式図である。
【発明を実施するための形態】
【００４７】
以下、例示的な実施例を詳しく説明し、その例示を図面に示す。以下の記載が図面に関わる場合、特に別の説明がない限り、異なる図面における同一符号は、同じ又は類似する要素を示す。以下の例示的な実施形態に記載の実施例は、本発明と一致する全ての実施例を代表するものではない。即ち、それらは、特許請求の範囲に記載の本発明のある側面に一致する装置及び方法の例に過ぎない。
【００４８】
本発明に記載の用語は、特定の実施例を説明する目的で使用されるものに過ぎず、本発明を限定するものではない。本発明及び添付された特許請求の範囲に記載の単数形式の「１種類」、「前記」及び「当該」は、前後の文章においてそれぞれ他の意味を含有すると明確に記載される以外には、複数の形式も含む。なお、本発明に記載の「及び／又は」は、挙げられる事項の１つ又は複数の何れ又は全ての組み合わせを意味する。
【００４９】
また、本発明は、第１、第２、第３等の用語を使って各種の情報を説明するが、それらの情報は上記用語に限定されない。それらの用語は、同一種類の情報同士を区分するためのものに過ぎない。例えば、本発明の範囲から逸脱しない状況で、第１の情報を第２の情報と称しても良い。同じように、第２の情報を第１の情報と称してもよい。ここで使っている用語「……場合」は、上下文の意味によって、「……時」或いは「……と」又は「確定に応じる」に解釈されてもよい。
【００５０】
図１は、一例示的な実施例に係る周波数ホッピング構成方法を示すフローチャートであり、図２は、一例示的な実施例に係る周波数ホッピング構成方法を示すシナリオ図である。この周波数ホッピング構成方法は基地局に用いられることができ、この基地局により端末に少なくとも１つのＢＷＰが構成されている。図１に示すように、この周波数ホッピング構成方法は、下記のステップ１１０〜１３０を含んでもよい。
【００５１】
ステップ１１０において、既に構成された各ＢＷＰに周波数ホッピング規則を構成する。
【００５２】
本発明の実施例では、基地局は、実際の状況に応じて、同じ端末に１つ又は複数の異なるＢＷＰを構成することができ、一般に最大で４つのＢＷＰを超えない。基地局はまた、既に構成された各ＢＷＰに周波数ホッピング規則を構成することができ、基地局が同じ端末の異なるＢＷＰに構成した周波数ホッピング規則は、同じでも異なっていてもよい。
【００５３】
例えば、基地局により端末にＢＷＰ１及びＢＷＰ２の２つのＢＷＰが構成されており、ＢＷＰ１に構成された周波数ホッピング規則は、１つの周波数ホッピングサブバンドスキームであり、ＢＷＰ２に構成された周波数ホッピング規則は、２つの異なる周波数ホッピングサブバンドスキームである。
【００５４】
さらに、基地局はまた、異なる端末の能力及び必要に応じて、異なる端末に異なるＢＷＰを割り当てることができる。例えば、システム帯域幅が４００ＭＨｚ、端末１のアップリンク伝送帯域幅能力が１００ＭＨｚ、端末２のアップリンク伝送帯域幅能力が２００ＭＨｚである場合、基地局は、端末１に１００ＭＨｚ以下のＢＷＰを構成し、端末２に２００ＭＨｚ以下のＢＷＰを構成することができる。
【００５５】
ステップ１２０において、端末にアップリンク伝送周波数ホッピングを行うように指示するとき、既に構成された周波数ホッピング規則に従って、この端末により現在使用されているＢＷＰに対応する周波数ホッピング規則を決定する。
【００５６】
本発明の実施例では、基地局は端末に複数のＢＷＰを事前に構成することができるが、同時に、基地局はＢＷＰのうちの１つ、つまり端末により現在使用されているＢＷＰのみをアクティブ化することができる。さらに、基地局はまた、ダウンリンク制御シグナリングを介して、端末を異なるＢＷＰ間で動的に切り替えるように制御することができる。
【００５７】
ステップ１３０において、端末がこの周波数ホッピング規則と周波数ホッピング前の第１の周波数領域リソース位置に基づいて、周波数ホッピング後の第２の周波数領域リソース位置を決定し、第２の周波数領域リソース位置でアップリンク伝送を行うように、端末により現在使用されているＢＷＰに対応する周波数ホッピング規則を端末に送信する。
【００５８】
一例示的なシナリオでは、図２に示すように、端末及び基地局が含まれる。基地局は、実際の状況に応じて、端末に１つ又は複数のＢＷＰを構成し、また、各ＢＷＰに周波数ホッピング規則を構成する。基地局が端末にアップリンク伝送周波数ホッピングを行うように指示するとき、事前に既に構成された周波数ホッピング規則に従って、この端末により現在使用されているＢＷＰに対応する周波数ホッピング規則を決定し、この端末により現在使用されているＢＷＰに対応する周波数ホッピング規則を端末に送信することができ、したがって、端末は、基地局により指示される周波数ホッピング規則と周波数ホッピング前の第１の周波数領域リソース位置に基づいて、周波数ホッピング後の第２の周波数領域リソース位置を決定し、第２の周波数領域リソース位置でアップリンク伝送を行うことができる。
【００５９】
上記の実施例から分かるように、既に構成された各ＢＷＰに周波数ホッピング規則を構成し、端末にアップリンク伝送周波数ホッピングを行うように指示するとき、既に構成された周波数ホッピング規則に従って、この端末により現在使用されているＢＷＰに対応する周波数ホッピング規則を決定し、端末により現在使用されているＢＷＰに対応する周波数ホッピング規則を端末に送信することで、端末は、基地局により指示される周波数ホッピング規則と周波数ホッピング前の第１の周波数領域リソース位置に基づいて、周波数ホッピング後の第２の周波数領域リソース位置を決定し、第２の周波数領域リソース位置でアップリンク伝送を行うことができ、これにより、端末が基地局により指示される周波数ホッピング規則下で、アップリンク伝送周波数ホッピングを完了することを実現し、アップリンクスケジューリングの複雑さを低減するだけでなく、システムリソースの断片化も軽減し、システムリソースの使用効率を向上させた。
【００６０】
図３は、一例示的な実施例に係る別の周波数ホッピング構成方法を示すフローチャートであり、図４は、一例示的な実施例に係る周波数ホッピングサブバンドスキームを示す模式図であり、図５は、一例示的な実施例に係る別の周波数ホッピングサブバンドスキームを示す模式図であり、図６は、一例示的な実施例に係る別の周波数ホッピングサブバンドスキームを示す模式図である。この周波数ホッピング構成方法は基地局に用いられることができ、図１に示す方法を確立する上で、周波数ホッピング規則は周波数ホッピングサブバンドスキームであってもよい。ステップ１１０を実行するとき、図３に示すように、下記のステップ３１０を含んでもよい。
【００６１】
ステップ３１０において、既に構成された各ＢＷＰに１つ又は複数の異なる周波数ホッピングサブバンドスキームを構成し、各周波数ホッピングサブバンドスキームには、少なくとも１つの周波数ホッピングサブバンドが含まれ、同じＢＷＰ内の周波数ホッピングサブバンドは、このＢＷＰ内の連続する周波数リソースセグメントである。
【００６２】
本発明の実施例では、基地局は、既に構成された各ＢＷＰに１つ又は複数の異なる周波数ホッピングサブバンドスキームを事前に構成することができ、したがって、基地局が端末にアップリンク伝送周波数ホッピングを行うように指示するとき、端末により現在使用されているＢＷＰに対応する周波数ホッピング規則をタイムリーに端末に割り当てることができる。
【００６３】
一例示的な模式図では、図４に示すように、システム内にＵＥ１、ＵＥ２及びＵＥ３の３つの端末があるものとする。基地局によりＵＥ１−ＢＷＰ、ＵＥ２−ＢＷＰ、ＵＥ３−ＢＷＰにいずれも１つの周波数ホッピングサブバンドスキームが構成されており、ＵＥ１−ＢＷＰに構成された周波数ホッピングサブバンドスキームには、５つの非重複周波数ホッピングサブバンドが含まれ、ＵＥ２−ＢＷＰに構成された周波数ホッピングサブバンドスキームには、１つの周波数ホッピングサブバンドが含まれ、ＵＥ３−ＢＷＰに構成された周波数ホッピングサブバンドスキームには、１つの周波数ホッピングサブバンドが含まれる。
【００６４】
一例示的な模式図では、基地局によりＵＥ１−ＢＷＰに２つの周波数ホッピングサブバンドスキームが構成されており、第１の周波数ホッピングサブバンドスキームは、３つの非重複周波数ホッピングサブバンドを含み、図５に示すとおりであり、第２の周波数ホッピングサブバンドスキームは、２つの非重複周波数ホッピングサブバンドを含み、図６に示すとおりである。また、基地局によりＵＥ２−ＢＷＰに１つの周波数ホッピングサブバンドスキームが構成されており、構成された周波数ホッピングサブバンドスキームには、１つの周波数ホッピングサブバンドが含まれる。また、基地局によりＵＥ３−ＢＷＰに１つの周波数ホッピングサブバンドスキームが構成されており、構成された周波数ホッピングサブバンドスキームには、１つの周波数ホッピングサブバンドが含まれる。
【００６５】
ＵＥ１−ＢＷＰの第１の周波数ホッピングサブバンドスキームでは、１つの周波数ホッピングサブバンドがＵＥ２−ＢＷＰの周波数ホッピングサブバンドと一致し、ＵＥ１−ＢＷＰの第２の周波数ホッピングサブバンドスキームでは、１つの周波数ホッピングサブバンドがＵＥ３−ＢＷＰの周波数ホッピングサブバンドと一致する。基地局のスケジューリングによって、ＵＥ１及びＵＥ２は、あるＴＴＩ（Ｔｒａｎｓｍｉｓｓｉｏｎ  Ｔｉｍｉｎｇ  Ｉｎｔｅｒｖａｌ、伝送時間間隔）で同時にスケジューリングされてアップリンク伝送を行うことができ、このＴＴＩでＵＥ１は、ダウンリンクシグナリング指示に従って第１の周波数ホッピングサブバンドスキームを使用することができる。ＵＥ１及びＵＥ３は、別のＴＴＩで基地局により同時にスケジューリングされてアップリンク伝送を行うこともでき、このＴＴＩでＵＥ１は、ダウンリンクシグナリング指示に従って第２の周波数ホッピングサブバンドスキームを使用することができる。したがって、同じＵＥ１は異なるＴＴＩで、実際のスケジューリング状況に応じて、異なる周波数ホッピングサブバンドスキームを柔軟に使用することができる。
【００６６】
上記の実施例から分かるように、既に構成された各ＢＷＰに１つ又は複数の異なる周波数ホッピングサブバンドスキームを構成することができ、各周波数ホッピングサブバンドスキームには、少なくとも１つの周波数ホッピングサブバンドが含まれ、同じＢＷＰ内の周波数ホッピングサブバンドは、このＢＷＰ内の連続する周波数リソースセグメントであり、これにより、端末が基地局により指示される周波数ホッピングサブバンドスキーム下で、アップリンク伝送周波数ホッピングを完了することを実現し、周波数ホッピング構成の実現形態を豊富にするだけでなく、システムリソースの使用効率も向上させた。
【００６７】
図７は、一例示的な実施例に係る別の周波数ホッピング構成方法を示すフローチャートである。この周波数ホッピング構成方法は基地局に用いられることができ、図３に示す方法を確立する上で、周波数ホッピング規則は周波数ホッピングサブバンドスキームであってもよい。ステップ１２０を実行するとき、図７に示すように、下記のステップ７１０〜７２０を含んでもよい。
【００６８】
ステップ７１０において、端末により現在使用されているＢＷＰに１つの周波数ホッピングサブバンドスキームが構成された場合、この周波数ホッピングサブバンドスキームをこの端末により現在使用されているＢＷＰに対応する周波数ホッピング規則として決定する。
【００６９】
ステップ７２０において、端末により現在使用されているＢＷＰに複数の周波数ホッピングサブバンドスキームが構成された場合、複数の周波数ホッピングサブバンドスキームから１つの周波数ホッピングサブバンドスキームを選択し、選択された周波数ホッピングサブバンドスキームをこの端末により現在使用されているＢＷＰに対応する周波数ホッピング規則として決定する。
【００７０】
本発明の実施例では、基地局は、実際のスケジューリング状況に応じて、この端末により現在使用されているＢＷＰに対応する周波数ホッピング規則を柔軟に選択することができる。例えば、図５に示すように、基地局のスケジューリングによって、ＵＥ１及びＵＥ２は、あるＴＴＩで同時にスケジューリングされてアップリンク伝送を行うことができ、このＴＴＩで基地局は、第１の周波数ホッピングサブバンドスキームをこの端末により現在使用されているＢＷＰに対応する周波数ホッピング規則として選択することができる。同様に、基地局のスケジューリングによって、ＵＥ１及びＵＥ３は、別のＴＴＩで基地局により同時にスケジューリングされてアップリンク伝送を行うこともでき、別のＴＴＩで基地局は、第２の周波数ホッピングサブバンドスキームをこの端末により現在使用されているＢＷＰに対応する周波数ホッピング規則として選択することができる。
【００７１】
上記の実施例から分かるように、端末により現在使用されているＢＷＰに１つ又は複数の周波数ホッピングサブバンドスキームを事前に構成することができ、基地局が端末にアップリンク伝送周波数ホッピングを行うように指示するとき、これらの事前に構成された周波数ホッピングサブバンドスキームから適切な周波数ホッピングサブバンドスキームを選定して端末に割り当てることができ、したがって、異なる端末が異なるＢＷＰを使用することによるシステムリソースの使用効率が低下される問題を回避することができ、これにより、システムリソースの使用効率を向上させた。
【００７２】
図８は、一例示的な実施例に係る別の周波数ホッピング構成方法を示すフローチャートである。この周波数ホッピング構成方法は基地局に用いられることができ、図７に示す方法を確立する上で、周波数ホッピング規則は１つ又は複数の異なる周波数ホッピングサブバンドスキームであってもよい。ステップ１３０を実行するとき、図８に示すように、下記のステップ８１０〜８２０を含んでもよい。
【００７３】
ステップ８１０において、第１の指示情報を生成し、この第１の指示情報は、端末により現在使用されているＢＷＰに対応する周波数ホッピングサブバンドスキームを含む。
【００７４】
ステップ８２０において、端末が第１の指示情報に基づいて、この端末により現在使用されているＢＷＰに対応する周波数ホッピングサブバンドスキームを取得するように、第１の指示情報を端末に送信する。
【００７５】
上記の実施例から分かるように、第１の指示情報を介して、基地局により指示される端末により現在使用されているＢＷＰに対応する周波数ホッピングサブバンドスキームを端末に配信することができ、したがって、端末は第１の指示情報から、この端末により現在使用されているＢＷＰに対応する周波数ホッピングサブバンドスキームを正確に取得することができ、これにより、周波数ホッピング構成の正確さを向上させた。
【００７６】
図９は、一例示的な実施例に係る別の周波数ホッピング構成方法を示すフローチャートである。この周波数ホッピング構成方法は基地局に用いられることができ、図３に示す方法を確立する上で、周波数ホッピング規則は１つ又は複数の異なる周波数ホッピングサブバンドスキームであってもよい。ステップ３１０を実行した後、図９に示すように、この周波数ホッピング構成方法は、下記のステップ９１０〜９２０をさらに含んでもよい。
【００７７】
ステップ９１０において、周波数ホッピング構成情報を生成し、この周波数ホッピング構成情報は、基地局が既に構成された各ＢＷＰに構成した１つ又は複数の異なる周波数ホッピングサブバンドスキームを含む。
【００７８】
本発明の実施例では、基地局は、端末の既に構成された各ＢＷＰに１つ又は複数の異なる周波数ホッピングサブバンドスキームを構成した後、周波数ホッピング構成情報を介して、既に構成された各ＢＷＰに対応する１つ又は複数の異なる周波数ホッピングサブバンドスキームを端末に配信し、その目的は、これらの周波数ホッピングサブバンドスキームの具体的な内容を端末に事前に知らせることであり、基地局が端末にアップリンク伝送周波数ホッピングを行うように指示するとき、現在使用されているＢＷＰに対応する周波数ホッピングサブバンドスキーム識別子のみを端末に知らせればよく、したがって、端末は、この周波数ホッピングサブバンドスキーム識別子に基づいて、現在使用されているＢＷＰに対応する周波数ホッピングサブバンドスキームを決定する。
【００７９】
ステップ９２０において、端末が周波数ホッピング構成情報から、基地局が既に構成された各ＢＷＰに構成した１つ又は複数の異なる周波数ホッピングサブバンドスキームを取得するように、周波数ホッピング構成情報を端末に送信する。
【００８０】
上記の実施例から分かるように、既に構成された各ＢＷＰに周波数ホッピング規則を構成した後、周波数ホッピング構成情報を介して、基地局が既に構成された各ＢＷＰに構成した１つ又は複数の異なる周波数ホッピングサブバンドスキームを端末に配信することができ、したがって、端末は、これらの周波数ホッピングサブバンドスキームの具体的な内容を事前に知ることができ、基地局が端末にアップリンク伝送周波数ホッピングを行うように指示するとき、基地局により指示される周波数ホッピングサブバンドスキーム識別子だけで、現在使用されているＢＷＰに対応する周波数ホッピングサブバンドスキームを決定することができ、これにより、周波数ホッピング構成の効率を向上させた。
【００８１】
図１０は、一例示的な実施例に係る別の周波数ホッピング構成方法を示すフローチャートである。この周波数ホッピング構成方法は基地局に用いられることができ、図９に示す方法を確立する上で、周波数ホッピング規則は１つ又は複数の異なる周波数ホッピングサブバンドスキームであってもよい。ステップ１３０を実行するとき、図１０に示すように、下記のステップ１０１０〜１０２０を含んでもよい。
【００８２】
ステップ１０１０において、第２の指示情報を生成し、この第２の指示情報は、周波数ホッピングサブバンドスキーム識別子を含み、この周波数ホッピングサブバンドスキーム識別子は、端末により現在使用されているＢＷＰに対応する周波数ホッピングサブバンドスキームの識別子である。
【００８３】
ステップ１０２０において、端末が第２の指示情報に基づいて、周波数ホッピングサブバンドスキーム識別子を取得し、この周波数ホッピングサブバンドスキーム識別子に基づいて、端末により現在使用されているＢＷＰに対応する周波数ホッピングサブバンドスキームを決定するように、第２の指示情報を端末に送信する。
【００８４】
上記の実施例から分かるように、第２の指示情報を介して、周波数ホッピングサブバンドスキーム識別子を端末に配信することができ、したがって、端末は、基地局により指示される周波数ホッピングサブバンドスキーム識別子と、事前に知られた異なる周波数ホッピングサブバンドスキームの具体的な内容とに基づいて、現在使用されているＢＷＰに対応する周波数ホッピングサブバンドスキームを決定することができ、これにより、端末が現在使用されているＢＷＰに対応する周波数ホッピングサブバンドスキームを正確に決定することを保証するとともに、周波数ホッピング構成の指示速度も向上させた。
【００８５】
図１１は、一例示的な実施例に係る別の周波数ホッピング構成方法を示すフローチャートである。この周波数ホッピング構成方法は基地局に用いられることができ、図１に示す方法を確立する上で、周波数ホッピング規則は指定周波数ホッピングオフセットであってもよい。ステップ１１０を実行するとき、図１１に示すように、下記のステップ１１１０を含んでもよい。
【００８６】
ステップ１１１０において、既に構成された各ＢＷＰに１つ又は複数の異なる指定周波数ホッピングオフセットを構成する。
【００８７】
本発明の実施例では、異なるＢＷＰ構成によるより柔軟な周波数ホッピングオフセットの需要を満たすために、異なるＢＷＰに１つ又は複数の異なる指定周波数ホッピングオフセットを構成することができる。実際のスケジューリング状況に応じて動的スケジューリングを行う場合、基地局は、適切な指定周波数ホッピングオフセットを選択することができ、又は、端末のアップリンク伝送リソース割り当てが半静的割り当てである場合、基地局は、アップリンクリソース割り当て時に、周波数ホッピングに使用されるべき周波数領域オフセットを直接指示することができる。
【００８８】
上記の実施例から分かるように、既に構成された各ＢＷＰに１つ又は複数の異なる指定周波数ホッピングオフセットを構成することにより、端末が基地局により指示される指定周波数ホッピングオフセット下で、アップリンク伝送周波数ホッピングを完了することを実現し、周波数ホッピング構成の実現形態を豊富にするだけでなく、アップリンク伝送周波数ホッピングを完了する速度も向上させた。
【００８９】
図１２は、一例示的な実施例に係る別の周波数ホッピング構成方法を示すフローチャートである。この周波数ホッピング構成方法は基地局に用いられることができ、図１１に示す方法を確立する上で、周波数ホッピング規則は指定周波数ホッピングオフセットであってもよい。ステップ１２０を実行するとき、図１２に示すように、下記のステップ１２１０〜１２２０を含んでもよい。
【００９０】
ステップ１２１０において、端末により現在使用されているＢＷＰに１つの指定周波数ホッピングオフセットが構成された場合、この指定周波数ホッピングオフセットをこの端末により現在使用されているＢＷＰに対応する周波数ホッピング規則として決定する。
【００９１】
ステップ１２２０において、端末により現在使用されているＢＷＰに複数の指定周波数ホッピングオフセットが構成された場合、複数の指定周波数ホッピングオフセットから１つの指定周波数ホッピングオフセットを選択し、選択された周波数ホッピングサブバンドスキームをこの端末により現在使用されているＢＷＰに対応する周波数ホッピング規則として決定する。
【００９２】
例えば、基地局によりＵＥ１−ＢＷＰに指定周波数ホッピングオフセット１、指定周波数ホッピングオフセット２、指定周波数ホッピングオフセット３及び指定周波数ホッピングオフセット４の４つの指定周波数ホッピングオフセットが事前に構成されている。基地局がアップリンクデータスケジューリングを行うとき、アップリンクスケジューリング情報からどの指定周波数ホッピングオフセットを使用するかを指示することができる。
【００９３】
上記の実施例から分かるように、端末により現在使用されているＢＷＰに１つ又は複数の指定周波数ホッピングオフセットを事前に構成することができ、基地局が端末にアップリンク伝送周波数ホッピングを行うように指示するとき、これらの事前に構成された指定周波数ホッピングオフセットから適切な指定周波数ホッピングオフセットを選定して端末に割り当てることができ、したがって、異なる端末が異なるＢＷＰを使用することによるシステムリソースの使用効率が低下される問題を回避することができ、これにより、システムリソースの使用効率を向上させた。
【００９４】
図１３は、一例示的な実施例に係る別の周波数ホッピング構成方法を示すフローチャートである。この周波数ホッピング構成方法は基地局に用いられることができ、図１２に示す方法を確立する上で、周波数ホッピング規則は指定周波数ホッピングオフセットであってもよい。ステップ１３０を実行するとき、図１３に示すように、下記のステップ１３１０〜１３２０を含んでもよい。
【００９５】
ステップ１３１０において、第３の指示情報を生成し、この第３の指示情報は、端末により現在使用されているＢＷＰに対応する指定周波数ホッピングオフセットを含む。
【００９６】
ステップ１３２０において、端末が第３の指示情報に基づいて、この端末により現在使用されているＢＷＰに対応する指定周波数ホッピングオフセットを取得するように、第３の指示情報を端末に送信する。
【００９７】
上記の実施例から分かるように、第３の指示情報を介して、基地局により指示される端末により現在使用されているＢＷＰに対応する指定周波数ホッピングオフセットを端末に配信することができ、したがって、端末は第３の指示情報から、この端末により現在使用されているＢＷＰに対応する指定周波数ホッピングオフセットを正確に取得することができ、これにより、周波数ホッピング構成の正確さを向上させた。
【００９８】
図１４は、一例示的な実施例に係る周波数ホッピング構成方法を示すフローチャートである。この周波数ホッピング構成方法は端末に用いられることができ、基地局によりこの端末に少なくとも１つのＢＷＰが構成されている。図１４に示すように、この周波数ホッピング構成方法は、下記のステップ１４１０〜１４３０を含んでもよい。
【００９９】
ステップ１４１０において、基地局により送信された周波数ホッピング規則を受信し、この周波数ホッピング規則は、基地局が端末により現在使用されているＢＷＰに構成した周波数ホッピング規則である。
【０１００】
ステップ１４２０において、アップリンク伝送周波数ホッピングを行うとき、周波数ホッピング規則と周波数ホッピング前の第１の周波数領域リソース位置に基づいて、周波数ホッピング後の第２の周波数領域リソース位置を決定する。
【０１０１】
ステップ１４３０において、第２の周波数領域リソース位置でアップリンク伝送を行う。
【０１０２】
上記の実施例から分かるように、基地局により送信された周波数ホッピング規則を受信し、アップリンク伝送周波数ホッピングを行うとき、周波数ホッピング規則と周波数ホッピング前の第１の周波数領域リソース位置に基づいて、周波数ホッピング後の第２の周波数領域リソース位置を決定し、第２の周波数領域リソース位置でアップリンク伝送を行い、この周波数ホッピング規則は、基地局が端末により現在使用されているＢＷＰに構成した周波数ホッピング規則であり、これにより、基地局により指示される周波数ホッピング規則下で、アップリンク伝送周波数ホッピングを完了することを実現し、アップリンクスケジューリングの複雑さを低減するだけでなく、システムリソースの断片化も軽減し、システムリソースの使用効率を向上させた。
【０１０３】
図１５は、一例示的な実施例に係る別の周波数ホッピング構成方法を示すフローチャートである。この周波数ホッピング構成方法は端末に用いられることができ、図１４に示す方法を確立する上で、周波数ホッピング規則は周波数ホッピングサブバンドスキームであってもよい。ステップ１４１０を実行するとき、図１５に示すように、下記のステップ１５１０〜１５２０を含んでもよい。
【０１０４】
ステップ１５１０において、基地局により送信された第１の指示情報を受信し、この第１の指示情報は、端末により現在使用されているＢＷＰに対応する周波数ホッピングサブバンドスキームを含み、この周波数ホッピングサブバンドスキームには、少なくとも１つの周波数ホッピングサブバンドが含まれ、同じＢＷＰ内の周波数ホッピングサブバンドは、このＢＷＰ内の連続する周波数リソースセグメントである。
【０１０５】
ステップ１５２０において、第１の指示情報に基づいて、端末により現在使用されているＢＷＰに対応する周波数ホッピングサブバンドスキームを取得する。
【０１０６】
上記の実施例から分かるように、第１の指示情報から、この端末により現在使用されているＢＷＰに対応する周波数ホッピングサブバンドスキームを正確に取得することができ、これにより、端末が周波数ホッピングサブバンドスキームを取得する信頼性を向上させた。
【０１０７】
図１６は、一例示的な実施例に係る別の周波数ホッピング構成方法を示すフローチャートである。この周波数ホッピング構成方法は端末に用いられることができ、図１４に示す方法を確立する上で、周波数ホッピング規則は周波数ホッピングサブバンドスキームであってもよい。図１６に示すように、この周波数ホッピング構成方法は、下記のステップ１６１０〜１６２０をさらに含んでもよい。
【０１０８】
ステップ１６１０において、基地局により送信された周波数ホッピング構成情報を受信し、この周波数ホッピング構成情報は、基地局が既に構成された各ＢＷＰに構成した１つ又は複数の異なる周波数ホッピングサブバンドスキームを含み、各周波数ホッピングサブバンドスキームには、少なくとも１つの周波数ホッピングサブバンドが含まれ、同じＢＷＰ内の周波数ホッピングサブバンドは、このＢＷＰ内の連続する周波数リソースセグメントである。
【０１０９】
ステップ１６２０において、周波数ホッピング構成情報から、基地局が既に構成された各ＢＷＰに構成した１つ又は複数の異なる周波数ホッピングサブバンドスキームを取得する。
【０１１０】
上記の実施例から分かるように、周波数ホッピング構成情報から、基地局が既に構成された各ＢＷＰに構成した１つ又は複数の異なる周波数ホッピングサブバンドスキームの具体的な内容を事前に知ることができ、基地局がアップリンク伝送周波数ホッピングを行うことを指示するとき、基地局により指示される周波数ホッピングサブバンドスキーム識別子に基づいて、現在使用されているＢＷＰに対応する周波数ホッピングサブバンドスキームを決定することができ、これにより、端末が現在使用されているＢＷＰに対応する周波数ホッピングサブバンドスキームを決定する実現形態を豊富にし、端末が周波数ホッピングサブバンドスキームを取得する効率も向上させた。
【０１１１】
図１７は、一例示的な実施例に係る別の周波数ホッピング構成方法を示すフローチャートである。この周波数ホッピング構成方法は端末に用いられることができ、図１６に示す方法を確立する上で、周波数ホッピング規則は周波数ホッピングサブバンドスキームであってもよい。ステップ１４１０を実行するとき、図１７に示すように、下記のステップ１７１０〜１７３０を含んでもよい。
【０１１２】
ステップ１７１０において、基地局により送信された第２の指示情報を受信し、この第２の指示情報は、周波数ホッピングサブバンドスキーム識別子を含み、この周波数ホッピングサブバンドスキーム識別子は、端末により現在使用されているＢＷＰに対応する周波数ホッピングサブバンドスキームの識別子である。
【０１１３】
ステップ１７２０において、第２の指示情報に基づいて、周波数ホッピングサブバンドスキーム識別子を取得する。
【０１１４】
ステップ１７３０において、周波数ホッピングサブバンドスキーム識別子に基づいて、端末により現在使用されているＢＷＰに対応する周波数ホッピングサブバンドスキームを決定する。
【０１１５】
上記の実施例から分かるように、第２の指示情報を介して、基地局により指示される周波数ホッピングサブバンドスキーム識別子を取得し、基地局により指示される周波数ホッピングサブバンドスキーム識別子に基づいて、現在使用されているＢＷＰに対応する周波数ホッピングサブバンドスキームを決定することができ、これにより、現在使用されているＢＷＰに対応する周波数ホッピングサブバンドスキームを確定することを保証するとともに、端末が周波数ホッピングサブバンドスキームを取得する効率も向上させた。
【０１１６】
図１８は、一例示的な実施例に係る別の周波数ホッピング構成方法を示すフローチャートである。この周波数ホッピング構成方法は端末に用いられることができ、図１５又は図１７に示す方法を確立する上で、周波数ホッピング規則は周波数ホッピングサブバンドスキームであってもよい。ステップ１４２０を実行するとき、図１８に示すように、下記のステップ１８１０〜１８２０を含んでもよい。
【０１１７】
ステップ１８１０において、端末により現在使用されているＢＷＰに対応する周波数ホッピングサブバンドスキームに従って、第１の周波数領域リソース位置に対応する第１の周波数ホッピングサブバンドを決定する。
【０１１８】
ステップ１８２０において、第１の周波数ホッピングサブバンド及び第１の周波数領域リソース位置に基づいて、第２の周波数領域リソース位置を計算する。
【０１１９】
上記の実施例から分かるように、端末により現在使用されているＢＷＰに対応する周波数ホッピングサブバンドスキームに従って、第１の周波数領域リソース位置に対応する第１の周波数ホッピングサブバンドを決定し、第１の周波数ホッピングサブバンド及び第１の周波数領域リソース位置に基づいて、第２の周波数領域リソース位置を計算することができ、これにより、基地局により指示される周波数ホッピングサブバンドスキーム下で、周波数ホッピング後の第２の周波数領域リソース位置を決定することを実現し、アップリンク伝送周波数ホッピングを完了する効率を向上させた。
【０１２０】
図１９は、一例示的な実施例に係る別の周波数ホッピング構成方法を示すフローチャートである。この周波数ホッピング構成方法は端末に用いられることができ、図１８に示す方法を確立する上で、周波数ホッピング規則は周波数ホッピングサブバンドスキームであってもよい。ステップ１８２０を実行するとき、図１９に示すように、下記のステップ１９１０又はステップ１９２０を含んでもよい。
【０１２１】
ステップ１９１０において、第１の周波数ホッピングサブバンド内の第１の周波数領域リソース位置の鏡像位置を計算し、この鏡像位置は、第２の周波数領域リソース位置である。
【０１２２】
ステップ１９２０において、第１の周波数ホッピングサブバンドをアップリンクデータ伝送の伝送帯域幅とし、基地局により配信されたアップリンクスケジューリングシグナリング内の情報に基づいて第２の周波数領域リソース位置を計算する。
【０１２３】
上記の実施例から分かるように、第１の周波数ホッピングサブバンド内の第１の周波数領域リソース位置の鏡像位置を計算する、又は、第１の周波数ホッピングサブバンドをアップリンクデータ伝送の伝送帯域幅とし、基地局により配信されたアップリンクスケジューリングシグナリング内の情報に基づいて第２の周波数領域リソース位置を計算することができ、この鏡像位置は、第２の周波数領域リソース位置であり、これにより、第２の周波数領域リソース位置を決定する実現形態を豊富にし、アップリンク伝送周波数ホッピングを完了する効率を向上させた。
【０１２４】
図２０は、一例示的な実施例に係る別の周波数ホッピング構成方法を示すフローチャートである。この周波数ホッピング構成方法は端末に用いられることができ、図１４に示す方法を確立する上で、周波数ホッピング規則は指定周波数ホッピングオフセットであってもよい。ステップ１４１０を実行するとき、図２０に示すように、下記のステップ２０１０〜２０２０を含んでもよい。
【０１２５】
ステップ２０１０において、基地局により送信された第３の指示情報を受信し、この第３の指示情報は、端末により現在使用されているＢＷＰに対応する指定周波数ホッピングオフセットを含む。
【０１２６】
ステップ２０２０において、第３の指示情報に基づいて、端末により現在使用されているＢＷＰに対応する指定周波数ホッピングオフセットを取得する。
【０１２７】
上記の実施例から分かるように、第３の指示情報から、この端末により現在使用されているＢＷＰに対応する指定周波数ホッピングオフセットを正確に取得することができ、これにより、端末が指定周波数ホッピングオフセットを取得する信頼性を向上させた。
【０１２８】
図２１は、一例示的な実施例に係る別の周波数ホッピング構成方法を示すフローチャートである。この周波数ホッピング構成方法は端末に用いられることができ、図２０に示す方法を確立する上で、周波数ホッピング規則は指定周波数ホッピングオフセットであってもよい。ステップ１４２０を実行するとき、図２１に示すように、下記のステップ２１１０を含んでもよい。
【０１２９】
ステップ２１１０において、端末により現在使用されているＢＷＰに対応する指定周波数ホッピングオフセット及び第１の周波数領域リソース位置に基づいて、第２の周波数領域リソース位置を決定する。
【０１３０】
上記の実施例から分かるように、端末により現在使用されているＢＷＰに対応する指定周波数ホッピングオフセット及び第１の周波数領域リソース位置に基づいて、第２の周波数領域リソース位置を決定することができ、これにより、基地局により指示される指定周波数ホッピングオフセット下で、周波数ホッピング後の第２の周波数領域リソース位置を決定することを実現し、アップリンク伝送周波数ホッピングを完了する効率を向上させた。
【０１３１】
本発明は、前述した周波数ホッピング構成方法の実施例に対応する、周波数ホッピング構成装置の実施例をさらに提供する。
【０１３２】
図２２は、一例示的な実施例に係る周波数ホッピング構成装置を示すブロック図である。この装置は基地局に使用され、この基地局により端末に少なくとも１つのＢＷＰが構成されており、図１に示す周波数ホッピング構成方法を実行するために使用される。図２２に示すように、この周波数ホッピング構成装置は、
既に構成された各ＢＷＰに周波数ホッピング規則を構成するように構成される構成モジュール２２１と、
前記端末にアップリンク伝送周波数ホッピングを行うように指示するとき、既に構成された周波数ホッピング規則に従って、前記端末により現在使用されているＢＷＰに対応する周波数ホッピング規則を決定するように構成される周波数ホッピング規則決定モジュール２２２と、
前記端末が前記対応する周波数ホッピング規則と周波数ホッピング前の第１の周波数領域リソース位置に基づいて、周波数ホッピング後の第２の周波数領域リソース位置を決定し、前記第２の周波数領域リソース位置でアップリンク伝送を行うように、前記対応する周波数ホッピング規則を端末に送信するように構成される第１の送信モジュール２２３と、を備えてもよい。
【０１３３】
上記の実施例から分かるように、既に構成された各ＢＷＰに周波数ホッピング規則を構成し、端末にアップリンク伝送周波数ホッピングを行うように指示するとき、既に構成された周波数ホッピング規則に従って、この端末により現在使用されているＢＷＰに対応する周波数ホッピング規則を決定し、端末により現在使用されているＢＷＰに対応する周波数ホッピング規則を端末に送信することで、端末は、基地局により指示される周波数ホッピング規則と周波数ホッピング前の第１の周波数領域リソース位置に基づいて、周波数ホッピング後の第２の周波数領域リソース位置を決定し、第２の周波数領域リソース位置でアップリンク伝送を行うことができ、これにより、端末が基地局により指示される周波数ホッピング規則下で、アップリンク伝送周波数ホッピングを完了することを実現し、アップリンクスケジューリングの複雑さを低減するだけでなく、システムリソースの断片化も軽減し、システムリソースの使用効率を向上させた。
【０１３４】
一実施例では、図２２に示す装置を確立する上で、図２３に示すように、前記構成モジュール２２１は、
既に構成された各ＢＷＰに１つ又は複数の異なる周波数ホッピングサブバンドスキームを構成するように構成される第１の構成サブモジュール２３１を備えてもよく、
各周波数ホッピングサブバンドスキームには、少なくとも１つの周波数ホッピングサブバンドが含まれ、同じＢＷＰ内の周波数ホッピングサブバンドは、このＢＷＰ内の連続する周波数リソースセグメントである。
【０１３５】
上記の実施例から分かるように、既に構成された各ＢＷＰに１つ又は複数の異なる周波数ホッピングサブバンドスキームを構成することができ、各周波数ホッピングサブバンドスキームには、少なくとも１つの周波数ホッピングサブバンドが含まれ、同じＢＷＰ内の周波数ホッピングサブバンドは、このＢＷＰ内の連続する周波数リソースセグメントであり、これにより、端末が基地局により指示される周波数ホッピングサブバンドスキーム下で、アップリンク伝送周波数ホッピングを完了することを実現し、周波数ホッピング構成の実現形態を豊富にするだけでなく、システムリソースの使用効率も向上させた。
【０１３６】
一実施例では、図２３に示す装置を確立する上で、図２４に示すように、前記周波数ホッピング規則決定モジュール２２２は、
前記端末により現在使用されているＢＷＰに１つの周波数ホッピングサブバンドスキームが構成された場合、この周波数ホッピングサブバンドスキームを前記端末により現在使用されているＢＷＰに対応する周波数ホッピング規則として決定するように構成される第１の決定サブモジュール２４１と、
前記端末により現在使用されているＢＷＰに複数の周波数ホッピングサブバンドスキームが構成された場合、前記複数の周波数ホッピングサブバンドスキームから１つの周波数ホッピングサブバンドスキームを選択し、選択された周波数ホッピングサブバンドスキームを前記端末により現在使用されているＢＷＰに対応する周波数ホッピング規則として決定するように構成される第２の決定サブモジュール２４２と、を備えてもよい。
【０１３７】
上記の実施例から分かるように、端末により現在使用されているＢＷＰに１つ又は複数の周波数ホッピングサブバンドスキームを事前に構成することができ、基地局が端末にアップリンク伝送周波数ホッピングを行うように指示するとき、これらの事前に構成された周波数ホッピングサブバンドスキームから適切な周波数ホッピングサブバンドスキームを選定して端末に割り当てることができ、したがって、異なる端末が異なるＢＷＰを使用することによるシステムリソースの使用効率が低下される問題を回避することができ、これにより、システムリソースの使用効率を向上させた。
【０１３８】
一実施例では、図２４に示す装置を確立する上で、図２５に示すように、前記第１の送信モジュール２２３は、
第１の指示情報を生成するように構成される第１の生成サブモジュール２５１と、
前記端末が前記第１の指示情報に基づいて、前記端末により現在使用されているＢＷＰに対応する周波数ホッピングサブバンドスキームを取得するように、前記第１の指示情報を前記端末に送信するように構成される第１の送信サブモジュール２５２と、を備えてもよく、
前記第１の指示情報は、前記端末により現在使用されているＢＷＰに対応する周波数ホッピングサブバンドスキームを含む。
【０１３９】
上記の実施例から分かるように、第１の指示情報を介して、基地局により指示される端末により現在使用されているＢＷＰに対応する周波数ホッピングサブバンドスキームを端末に配信することができ、したがって、端末は第１の指示情報から、この端末により現在使用されているＢＷＰに対応する周波数ホッピングサブバンドスキームを正確に取得することができ、これにより、周波数ホッピング構成の正確さを向上させた。
【０１４０】
一実施例では、図２３に示す装置を確立する上で、図２６に示すように、この周波数ホッピング構成装置は、
周波数ホッピング構成情報を生成するように構成される情報生成モジュール２６１と、
前記端末が前記周波数ホッピング構成情報から、前記基地局が既に構成された各ＢＷＰに構成した１つ又は複数の異なる周波数ホッピングサブバンドスキームを取得するように、前記周波数ホッピング構成情報を前記端末に送信するように構成される第２の送信モジュール２６２と、をさらに備えてもよく、
前記周波数ホッピング構成情報は、前記基地局が既に構成された各ＢＷＰに構成した１つ又は複数の異なる周波数ホッピングサブバンドスキームを含む。
【０１４１】
上記の実施例から分かるように、既に構成された各ＢＷＰに周波数ホッピング規則を構成した後、周波数ホッピング構成情報を介して、基地局が既に構成された各ＢＷＰに構成した１つ又は複数の異なる周波数ホッピングサブバンドスキームを端末に配信することができ、したがって、端末は、これらの周波数ホッピングサブバンドスキームの具体的な内容を事前に知ることができ、基地局が端末にアップリンク伝送周波数ホッピングを行うように指示するとき、基地局により指示される周波数ホッピングサブバンドスキーム識別子だけで、現在使用されているＢＷＰに対応する周波数ホッピングサブバンドスキームを決定することができ、これにより、周波数ホッピング構成の効率を向上させた。
【０１４２】
一実施例では、図２６に示す装置を確立する上で、図２７に示すように、前記第１の送信モジュール２２３は、
第２の指示情報を生成するように構成される第２の生成サブモジュール２７１と、
前記端末が前記第２の指示情報に基づいて、前記周波数ホッピングサブバンドスキーム識別子を取得し、前記周波数ホッピングサブバンドスキーム識別子に基づいて、前記端末により現在使用されているＢＷＰに対応する周波数ホッピングサブバンドスキームを決定するように、前記第２の指示情報を前記端末に送信するように構成される第２の送信サブモジュール２７２と、を備えてもよく、
前記第２の指示情報は、周波数ホッピングサブバンドスキーム識別子を含み、前記周波数ホッピングサブバンドスキーム識別子は、前記端末により現在使用されているＢＷＰに対応する周波数ホッピングサブバンドスキームの識別子である。
【０１４３】
上記の実施例から分かるように、第２の指示情報を介して、周波数ホッピングサブバンドスキーム識別子を端末に配信することができ、したがって、端末は、基地局により指示される周波数ホッピングサブバンドスキーム識別子と、事前に知られた異なる周波数ホッピングサブバンドスキームの具体的な内容とに基づいて、現在使用されているＢＷＰに対応する周波数ホッピングサブバンドスキームを決定することができ、これにより、端末が現在使用されているＢＷＰに対応する周波数ホッピングサブバンドスキームを正確に決定することを保証するとともに、周波数ホッピング構成の指示速度も向上させた。
【０１４４】
一実施例では、図２２に示す装置を確立する上で、図２８に示すように、前記構成モジュール２２１は、
既に構成された各ＢＷＰに１つ又は複数の異なる指定周波数ホッピングオフセットを構成するように構成される第２の構成サブモジュール２８１を備えてもよい。
【０１４５】
上記の実施例から分かるように、既に構成された各ＢＷＰに１つ又は複数の異なる指定周波数ホッピングオフセットを構成することにより、端末が基地局により指示される指定周波数ホッピングオフセット下で、アップリンク伝送周波数ホッピングを完了することを実現し、周波数ホッピング構成の実現形態を豊富にするだけでなく、アップリンク伝送周波数ホッピングを完了する速度も向上させた。
【０１４６】
一実施例では、図２８に示す装置を確立する上で、図２９に示すように、前記周波数ホッピング規則決定モジュール２２２は、
前記端末により現在使用されているＢＷＰに１つの指定周波数ホッピングオフセットが構成された場合、この指定周波数ホッピングオフセットを前記端末により現在使用されているＢＷＰに対応する周波数ホッピング規則として決定するように構成される第３の決定サブモジュール２９１と、
前記端末により現在使用されているＢＷＰに複数の指定周波数ホッピングオフセットが構成された場合、前記複数の指定周波数ホッピングオフセットから１つの指定周波数ホッピングオフセットを選択し、選択された周波数ホッピングサブバンドスキームを前記端末により現在使用されているＢＷＰに対応する周波数ホッピング規則として決定するように構成される第４の決定サブモジュール２９２と、を備えてもよい。
【０１４７】
上記の実施例から分かるように、端末により現在使用されているＢＷＰに１つ又は複数の指定周波数ホッピングオフセットを事前に構成することができ、基地局が端末にアップリンク伝送周波数ホッピングを行うように指示するとき、これらの事前に構成された指定周波数ホッピングオフセットから適切な指定周波数ホッピングオフセットを選定して端末に割り当てることができ、したがって、異なる端末が異なるＢＷＰを使用することによるシステムリソースの使用効率が低下される問題を回避することができ、これにより、システムリソースの使用効率を向上させた。
【０１４８】
一実施例では、図２９に示す装置を確立する上で、図３０に示すように、前記第１の送信モジュール２２３は、
第３の指示情報を生成するように構成される第３の生成サブモジュール３０１と、
前記端末が前記第３の指示情報に基づいて、前記端末により現在使用されているＢＷＰに対応する指定周波数ホッピングオフセットを取得するように、前記第３の指示情報を前記端末に送信するように構成される第３の送信サブモジュール３０２と、を備えてもよく、
前記第３の指示情報は、前記端末により現在使用されているＢＷＰに対応する指定周波数ホッピングオフセットを含む。
【０１４９】
上記の実施例から分かるように、第３の指示情報を介して、基地局により指示される端末により現在使用されているＢＷＰに対応する指定周波数ホッピングオフセットを端末に配信することができ、したがって、端末は第３の指示情報から、この端末により現在使用されているＢＷＰに対応する指定周波数ホッピングオフセットを正確に取得することができ、これにより、周波数ホッピング構成の正確さを向上させた。
【０１５０】
図３１は、一例示的な実施例に係る周波数ホッピング構成装置を示すブロック図である。この装置は端末に使用され、基地局によりこの端末に少なくとも１つのＢＷＰが構成されており、図１４に示す周波数ホッピング構成方法を実行するために使用される。図３１に示すように、この周波数ホッピング構成装置は、
前記基地局により送信された周波数ホッピング規則を受信するように構成される第１の受信モジュール３１１と、
アップリンク伝送周波数ホッピングを行うとき、前記周波数ホッピング規則と周波数ホッピング前の第１の周波数領域リソース位置に基づいて、周波数ホッピング後の第２の周波数領域リソース位置を決定するように構成されるリソース位置決定モジュール３１２と、
前記第２の周波数領域リソース位置でアップリンク伝送を行うように構成されるアップリンク伝送モジュール３１３と、を備えてもよく、
前記周波数ホッピング規則は、前記基地局が前記端末により現在使用されているＢＷＰに構成した周波数ホッピング規則である。
【０１５１】
上記の実施例から分かるように、基地局により送信された周波数ホッピング規則を受信し、アップリンク伝送周波数ホッピングを行うとき、周波数ホッピング規則と周波数ホッピング前の第１の周波数領域リソース位置に基づいて、周波数ホッピング後の第２の周波数領域リソース位置を決定し、第２の周波数領域リソース位置でアップリンク伝送を行い、この周波数ホッピング規則は、基地局が端末により現在使用されているＢＷＰに構成した周波数ホッピング規則であり、これにより、基地局により指示される周波数ホッピング規則下で、アップリンク伝送周波数ホッピングを完了することを実現し、アップリンクスケジューリングの複雑さを低減するだけでなく、システムリソースの断片化も軽減し、システムリソースの使用効率を向上させた。
【０１５２】
一実施例では、図３１に示す装置を確立する上で、図３２に示すように、前記第１の受信モジュール３１１は、
前記基地局により送信された第１の指示情報を受信するように構成される第１の受信サブモジュール３２１と、
前記第１の指示情報に基づいて、前記端末により現在使用されているＢＷＰに対応する周波数ホッピングサブバンドスキームを取得するように構成される第１の取得サブモジュール３２２と、を備えてもよく、
前記第１の指示情報は、前記端末により現在使用されているＢＷＰに対応する周波数ホッピングサブバンドスキームを含み、前記周波数ホッピングサブバンドスキームには、少なくとも１つの周波数ホッピングサブバンドが含まれ、同じＢＷＰ内の周波数ホッピングサブバンドは、このＢＷＰ内の連続する周波数リソースセグメントである。
【０１５３】
上記の実施例から分かるように、第１の指示情報から、この端末により現在使用されているＢＷＰに対応する周波数ホッピングサブバンドスキームを正確に取得することができ、これにより、端末が周波数ホッピングサブバンドスキームを取得する信頼性を向上させた。
【０１５４】
一実施例では、図３１に示す装置を確立する上で、図３３に示すように、この周波数ホッピング構成装置は、
前記基地局により送信された周波数ホッピング構成情報を受信するように構成される第２の受信モジュール３３１と、
前記周波数ホッピング構成情報から、前記基地局が既に構成された各ＢＷＰに構成した１つ又は複数の異なる周波数ホッピングサブバンドスキームを取得するように構成される取得モジュール３３２と、をさらに備えてもよく、
前記周波数ホッピング構成情報は、前記基地局が既に構成された各ＢＷＰに構成した１つ又は複数の異なる周波数ホッピングサブバンドスキームを含み、各周波数ホッピングサブバンドスキームには、少なくとも１つの周波数ホッピングサブバンドが含まれ、同じＢＷＰ内の周波数ホッピングサブバンドは、このＢＷＰ内の連続する周波数リソースセグメントである。
【０１５５】
上記の実施例から分かるように、周波数ホッピング構成情報から、基地局が既に構成された各ＢＷＰに構成した１つ又は複数の異なる周波数ホッピングサブバンドスキームの具体的な内容を事前に知ることができ、基地局がアップリンク伝送周波数ホッピングを行うことを指示するとき、基地局により指示される周波数ホッピングサブバンドスキーム識別子に基づいて、現在使用されているＢＷＰに対応する周波数ホッピングサブバンドスキームを決定することができ、これにより、端末が現在使用されているＢＷＰに対応する周波数ホッピングサブバンドスキームを決定する実現形態を豊富にし、端末が周波数ホッピングサブバンドスキームを取得する効率も向上させた。
【０１５６】
一実施例では、図３３に示す装置を確立する上で、図３４に示すように、前記第１の受信モジュール３１１は、
前記基地局により送信された第２の指示情報を受信するように構成される第２の受信サブモジュール３４１と、
前記第２の指示情報に基づいて、前記周波数ホッピングサブバンドスキーム識別子を取得するように構成される第２の取得サブモジュール３４２と、
前記周波数ホッピングサブバンドスキーム識別子に基づいて、前記端末により現在使用されているＢＷＰに対応する周波数ホッピングサブバンドスキームを決定するように構成される周波数ホッピングスキーム決定サブモジュール３４３と、を備えてもよく、
前記第２の指示情報は、周波数ホッピングサブバンドスキーム識別子を含み、前記周波数ホッピングサブバンドスキーム識別子は、前記端末により現在使用されているＢＷＰに対応する周波数ホッピングサブバンドスキームの識別子である。
【０１５７】
上記の実施例から分かるように、第２の指示情報を介して、基地局により指示される周波数ホッピングサブバンドスキーム識別子を取得し、基地局により指示される周波数ホッピングサブバンドスキーム識別子に基づいて、現在使用されているＢＷＰに対応する周波数ホッピングサブバンドスキームを決定することができ、これにより、現在使用されているＢＷＰに対応する周波数ホッピングサブバンドスキームを確定することを保証するとともに、端末が周波数ホッピングサブバンドスキームを取得する効率も向上させた。
【０１５８】
一実施例では、図３２又は図３４に示す装置を確立する上で、図３５に示すように、前記リソース位置決定モジュール３１２は、
前記端末により現在使用されているＢＷＰに対応する周波数ホッピングサブバンドスキームに従って、前記第１の周波数領域リソース位置に対応する第１の周波数ホッピングサブバンドを決定するように構成される周波数ホッピングサブバンド決定サブモジュール３５１と、
前記第１の周波数ホッピングサブバンド及び前記第１の周波数領域リソース位置に基づいて、前記第２の周波数領域リソース位置を計算するように構成される第１の計算サブモジュール３５２と、を備えてもよい。
【０１５９】
上記の実施例から分かるように、端末により現在使用されているＢＷＰに対応する周波数ホッピングサブバンドスキームに従って、第１の周波数領域リソース位置に対応する第１の周波数ホッピングサブバンドを決定し、第１の周波数ホッピングサブバンド及び第１の周波数領域リソース位置に基づいて、第２の周波数領域リソース位置を計算することができ、これにより、基地局により指示される周波数ホッピングサブバンドスキーム下で、周波数ホッピング後の第２の周波数領域リソース位置を決定することを実現し、アップリンク伝送周波数ホッピングを完了する効率を向上させた。
【０１６０】
一実施例では、図３５に示す装置を確立する上で、図３６に示すように、前記第１の計算サブモジュール３５２は、
前記第１の周波数ホッピングサブバンド内の前記第１の周波数領域リソース位置の鏡像位置を計算するように構成される第２の計算サブモジュール３６１、又は、
前記第１の周波数ホッピングサブバンドを前記アップリンクデータ伝送の伝送帯域幅とし、前記基地局により配信されたアップリンクスケジューリングシグナリング内の情報に基づいて、前記第２の周波数領域リソース位置を計算するように構成される第３の計算サブモジュール３６２を備えてもよく、
前記鏡像位置は、前記第２の周波数領域リソース位置である。
【０１６１】
上記の実施例から分かるように、第１の周波数ホッピングサブバンド内の第１の周波数領域リソース位置の鏡像位置を計算する、又は、第１の周波数ホッピングサブバンドをアップリンクデータ伝送の伝送帯域幅とし、基地局により配信されたアップリンクスケジューリングシグナリング内の情報に基づいて第２の周波数領域リソース位置を計算することができ、この鏡像位置は、第２の周波数領域リソース位置であり、これにより、第２の周波数領域リソース位置を決定する実現形態を豊富にし、アップリンク伝送周波数ホッピングを完了する効率を向上させた。
【０１６２】
一実施例では、図３１に示す装置を確立する上で、図３７に示すように、前記第１の受信モジュール３１１は、
前記基地局により送信された第３の指示情報を受信するように構成される第３の受信サブモジュール３７１と、
前記第３の指示情報に基づいて、前記端末により現在使用されているＢＷＰに対応する指定周波数ホッピングオフセットを取得するように構成される第３の取得サブモジュール３７２と、を備えてもよく、
前記第３の指示情報は、前記端末により現在使用されているＢＷＰに対応する指定周波数ホッピングオフセットを含む。
【０１６３】
上記の実施例から分かるように、第３の指示情報から、この端末により現在使用されているＢＷＰに対応する指定周波数ホッピングオフセットを正確に取得することができ、これにより、端末が指定周波数ホッピングオフセットを取得する信頼性を向上させた。
【０１６４】
一実施例では、図３７に示す装置を確立する上で、図３８に示すように、前記リソース位置決定モジュール３１２は、
前記端末により現在使用されているＢＷＰに対応する指定周波数ホッピングオフセット及び前記第１の周波数領域リソース位置に基づいて、前記第２の周波数領域リソース位置を決定するように構成されるリソース位置決定サブモジュール３８１を備えてもよい。
【０１６５】
上記の実施例から分かるように、端末により現在使用されているＢＷＰに対応する指定周波数ホッピングオフセット及び第１の周波数領域リソース位置に基づいて、第２の周波数領域リソース位置を決定することができ、これにより、基地局により指示される指定周波数ホッピングオフセット下で、周波数ホッピング後の第２の周波数領域リソース位置を決定することを実現し、アップリンク伝送周波数ホッピングを完了する効率を向上させた。
【０１６６】
装置の実施例に関して、それは基本的に方法の実施例に対応するため、関連する部分は方法の実施例の部分の説明を参照すればよい。上記の装置の実施例は単なる例示的なものであり、ここで、上記の分離部材として説明されるユニットは物理的に分離されていてもよいし、分離されなくてもよく、ユニットとして表示される部材は、物理ユニットであってもよいし、物理ユニットでなくてもよく、即ち、１つの箇所に位置されてもよいし、複数のネットワークユニット上に分散されてもよい。実際の需要に応じて、これらのモジュールの一部又は全部を選択して本発明の解決策の目的を実現することができる。当業者は、創造的な努力なしに理解及び実施することができる。
【０１６７】
本発明によれば、コンピュータプログラムが記憶された非一時的コンピュータ読み取り可能な記録媒体がさらに提供され、前記コンピュータプログラムは、上記の図１〜図１３のいずれかに記載の周波数ホッピング構成方法を実行するために使用される。
【０１６８】
本発明によれば、コンピュータプログラムが記憶された非一時的コンピュータ読み取り可能な記録媒体がさらに提供され、前記コンピュータプログラムは、上記の図１４〜図２１のいずれかに記載の周波数ホッピング構成方法を実行するために使用される。
【０１６９】
本発明によれば、周波数ホッピング構成装置がさらに提供され、前記装置は基地局に使用され、前記基地局により端末に少なくとも１つのＢＷＰが構成されており、前記装置は、
プロセッサーと、
プロセッサーで実行可能な命令を記憶するためのメモリとを備え、
前記プロセッサーは、
既に構成された各ＢＷＰに周波数ホッピング規則を構成し、
前記端末にアップリンク伝送周波数ホッピングを行うように指示するとき、既に構成された周波数ホッピング規則に従って、前記端末により現在使用されているＢＷＰに対応する周波数ホッピング規則を決定し、
前記端末が前記対応する周波数ホッピング規則と周波数ホッピング前の第１の周波数領域リソース位置に基づいて、周波数ホッピング後の第２の周波数領域リソース位置を決定し、前記第２の周波数領域リソース位置でアップリンク伝送を行うように、前記対応する周波数ホッピング規則を端末に送信するように構成される。
【０１７０】
図３９に示すように、図３９は、一例示的な実施例に係る周波数ホッピング構成装置を示す構造模式図である。装置３９００は、一基地局として提供されてもよい。図３９を参照すると、装置３９００は、処理ユニット３９２２、無線送信／受信ユニット３９２４、アンテナユニット３９２６、及び無線インターフェースに特有の信号処理部分を備え、処理ユニット３９２２は、１つ又は複数のプロセッサーをさらに備えてもよい。
【０１７１】
処理ユニット３９２２内のプロセッサーのうちの１つは、上記のいずれかに記載の周波数ホッピング構成方法を実行するように構成されてもよい。
【０１７２】
本発明によれば、周波数ホッピング構成装置がさらに提供され、前記装置は端末に使用され、基地局により前記端末に少なくとも１つのＢＷＰが構成されており、前記装置は、
プロセッサーと、
プロセッサーで実行可能な命令を記憶するためのメモリとを備え、
前記プロセッサーは、
前記基地局により送信された周波数ホッピング規則を受信し、
アップリンク伝送周波数ホッピングを行うとき、前記周波数ホッピング規則と周波数ホッピング前の第１の周波数領域リソース位置に基づいて、周波数ホッピング後の第２の周波数領域リソース位置を決定し、
前記第２の周波数領域リソース位置でアップリンク伝送を行うように構成され、
前記周波数ホッピング規則は、前記基地局が前記端末により現在使用されているＢＷＰに構成した周波数ホッピング規則である。
【０１７３】
図４０は、一例示的な実施例に係る周波数ホッピング構成装置を示す構造模式図である。図４０に示すように、一例示的な実施例に係る周波数ホッピング構成装置４０００が示されており、この装置４０００は、コンピュータ、携帯電話、デジタルブロードキャスト端末、メッセージ送受信機、ゲームコンソール、タブレットデバイス、医療機器、フィットネス機器、ＰＤＡ等の端末であってもよい。
【０１７４】
図４０を参照すると、装置４０００は、処理ユニット４００１、メモリ４００２、電源ユニット４００３、マルチメディアユニット４００４、オーディオユニット４００５、入力／出力（Ｉ／Ｏ）インターフェース４００６、センサーユニット４００７、及び通信ユニット４００８からなる群から選ばれる少なくとも１つを備えてもよい。
【０１７５】
処理ユニット４００１は、一般的には、装置４０００の全体の操作、例えば、表示、電話呼び出し、データ通信、カメラ操作及び記録操作に関連する操作を制御する。処理ユニット４００１は、上述した方法におけるステップの一部又は全部を実現できるように、命令を実行する少なくとも１つのプロセッサー４００９を備えてもよい。また、処理ユニット４００１は、他のユニットとのインタラクションを便利にさせるように、少なくとも１つのモジュールを備えてもよい。例えば、処理ユニット４００１は、マルチメディアユニット４００４とのインタラクションを便利にさせるように、マルチメディアモジュールを備えてもよい。
【０１７６】
メモリ４００２は、装置４０００での操作をサポートするように、各種のデータを記憶するように配置される。これらのデータは、例えば、装置４０００で何れのアプリケーション又は方法を操作するための命令、連絡先データ、電話帳データ、メッセージ、画像、ビデオ等を含む。メモリ４００２は、何れの種類の揮発性又は不揮発性メモリ、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（Ｐｒｏｇｒａｍｍａｂｌｅ  ＲＯＭ）、ＲＯＭ（Ｒｅａｄ  Ｏｎｌｙ  Ｍｅｍｏｒｙ）、磁気メモリ、フラッシュメモリ、磁気ディスク、或いは光ディスクにより、或いはそれらの組み合わせにより実現することができる。
【０１７７】
電源ユニット４００３は、装置４０００の各種ユニットに電力を供給するためのものであり、電源管理システム、１つ又は複数の電源、及び装置４０００のために電力を生成、管理及び分配することに関連する他のユニットを備えてもよい。
【０１７８】
マルチメディアユニット４００４は、装置４０００とユーザとの間に出力インターフェースを提供するスクリーンを備えてもよい。スクリーンは、例えば、液晶ディスプレイ（ＬＣＤ）やタッチパネル（ＴＰ）を備えてもよい。スクリーンは、タッチパネルを備える場合、ユーザからの入力信号を受信するように、タッチスクリーンになることができる。また、タッチパネルは、タッチや、スライドや、タッチパネル上の手振りを感知するように、少なくとも１つのタッチセンサーを有する。タッチセンサーは、タッチやスライド動作の境界を感知できるだけではなく、タッチやスライド操作と関連する持続時間や圧力も感知できる。一実施例では、マルチメディアユニット４００４は、フロントカメラ及び／又はバックカメラを有してもよい。装置４０００が、例えば、撮影モードやビデオモードのような操作モードにある時、フロントカメラ及び／又はバックカメラが外部のマルチメディアデータを受信できる。フロントカメラ及びバックカメラのそれぞれは、固定の光学レンズ系であってもよいし、焦点距離及び光学ズーム能力を有するものであってもよい。
【０１７９】
オーディオユニット４００５は、オーディオ信号を出力及び／又は入力するように配置される。例えば、オーディオユニット４００５は、マイクロフォン（ＭｉＣ）を有してもよい。装置４０００が、例えば、呼び出しモード、記録モード、又は音声認識モードのような操作モードにあるとき、マイクロフォンは、外部のオーディオ信号を受信するように配置される。受信したオーディオ信号は、メモリ４００２にさらに記憶されてもよいし、通信ユニット４００８を介して送信されてもよい。一実施例では、オーディオユニット４００５は、オーディオ信号を出力するためのスピーカをさらに備えてもよい。
【０１８０】
Ｉ／Ｏインターフェース４００６は、処理ユニット４００１と外部のインターフェースモジュールとの間にインターフェースを提供するためのものである。上記外部のインターフェースモジュールは、キーボードや、クリックホイールや、ボタン等であってもよい。これらのボタンは、ホームボタンや、音量ボタンや、スタートボタンや、ロックボタンであってもよいが、それらに限らない。
【０１８１】
センサーユニット４００７は、装置４０００のために各方面の状態を評価する少なくとも１つのセンサーを備えてもよい。例えば、センサーユニット４００７は、装置４０００のオン／オフ状態や、ユニットの相対的な位置を検出することができる。例えば、前記ユニットは、装置４０００のディスプレイ及びキーパッドである。センサーユニット４００７は、装置４０００又は装置４０００の１つのユニットの位置の変化、ユーザによる装置４０００への接触の有無、装置４０００の方向又は加速／減速、装置４０００の温度変化などを検出することができる。センサーユニット４００７は、何れの物理的な接触もない場合に付近の物体を検出するように配置される近接センサーを有してもよい。センサーユニット４００７は、イメージングアプリケーションに用いるための光センサー、例えば、ＣＭＯＳ又はＣＣＤ画像センサーを有してもよい。一実施例では、当該センサーユニット４００７は、加速度センサー、ジャイロスコープセンサー、磁気センサー、圧力センサー又は温度センサーをさらに備えてもよい。
【０１８２】
通信ユニット４００８は、装置４０００と他の設備の間との無線又は有線通信を便利にさせるように配置される。装置４０００は、通信標準に基づく無線ネットワーク、例えば、ＷｉＦｉ、２Ｇ又は３Ｇ、又はそれらの組み合わせにアクセスできる。１つの例示的な実施例では、通信ユニット４００８は、ブロードキャストチャンネルを介して外部のブロードキャスト管理システムからのブロードキャスト信号又はブロードキャストに関する情報を受信する。１つの例示的な実施例では、前記通信ユニット４００８は、近距離通信を促進するために近距離無線通信（ＮＦＣ）モジュールをさらに備えてもよい。例えば、ＮＦＣモジュールは、無線周波数認識装置（ＲＦＩＤ：Ｒａｄｉｏ  Ｆｒｅｑｕｅｎｃｙ  ＩＤｅｎｔｉｆｉｃａｔｉｏｎ）技術、赤外線データ協会（ＩｒＤＡ：Ｉｎｆｒａｒｅｄ  Ｄａｔａ  Ａｓｓｏｃｉａｔｉｏｎ）技術、超広帯域無線（ＵＷＢ：Ｕｌｔｒａ  Ｗｉｄｅ  Ｂａｎｄ）技術、ブルートゥース（登録商標）（ＢＴ：Ｂｌｕｅｔｏｏｔｈ）技術及び他の技術によって実現されてもよい。
【０１８３】
例示的な実施例では、装置４０００は、上述した方法を実行するために、１つ又は複数の特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、デジタル信号プロセッサー（ＤＳＰ：Ｄｉｇｉｔａｌ  Ｓｉｇｎａｌ  Ｐｒｏｃｅｓｓｏｒ）、デジタル信号処理デバイス（ＤＳＰＤ：Ｄｉｇｉｔａｌ  Ｓｉｇｎａｌ  Ｐｒｏｃｅｓｓｉｎｇ  Ｄｅｖｉｃｅ）、プログラマブルロジックデバイス（ＰＬＤ：Ｐｒｏｇｒａｍｍａｂｌｅ  Ｌｏｇｉｃ  Ｄｅｖｉｃｅ）、書替え可能ゲートアレイ（ＦＰＧＡ：Ｆｉｅｌｄ−Ｐｒｏｇｒａｍｍａｂｌｅ  Ｇａｔｅ  Ａｒｒａｙ）、コントローラ、マイクロコントローラ、マイクロプロセッサー、又は他の電子機器によって実現されてもよい。
【０１８４】
例示的な実施例では、命令を有する非一時的コンピュータ読み取り可能な記録媒体、例えば、命令を有するメモリ４００２をさらに提供する。前記命令は、装置４０００のプロセッサー４００９により実行されて上述した方法を実現する。例えば、前記非一時的コンピュータ読み取り可能な記録媒体は、ＲＯＭ、ＲＡＭ、ＣＤ−ＲＯＭ、磁気テープ、フロッピー（登録商標）ディスク及び光データメモリ等であってもよい。
【０１８５】
ここで、前記記録媒体における命令が前記プロセッサーにより実行されると、装置４０００が上記のいずれかに記載の周波数ホッピング構成方法を実行するようにする。
【０１８６】
当業者は、明細書に対する理解、及び明細書に記載された発明に対する実施を介して、本発明の他の実施形態を容易に取得することができる。本発明は、本発明に対する任意の変形、用途、又は適応的な変化を含み、このような変形、用途、又は適応的な変化は、本発明の一般的な原理に従い、本発明では開示していない本技術分野の公知知識、又は通常の技術手段を含む。明細書及び実施例は、単に例示的なものであって、本発明の本当の範囲と主旨は、以下の特許請求の範囲によって示される。
【０１８７】
本発明は、上記で記述され、図面で図示した特定の構成に限定されず、その範囲を離脱しない状況で、様々な修正や変更を実施してもよい。本発明の範囲は、添付される特許請求の範囲のみにより限定される。
【図１】
2021502774.tif 000003
【図２】
2021502774.tif 000004
【図３】
2021502774.tif 000005
【図４】
2021502774.tif 000006
【図５】
2021502774.tif 000007
【図６】
2021502774.tif 000008
【図７】
2021502774.tif 000009
【図８】
2021502774.tif 000010
【図９】
2021502774.tif 000011
【図１０】
2021502774.tif 000012
【図１１】
2021502774.tif 000013
【図１２】
2021502774.tif 000014
【図１３】
2021502774.tif 000015
【図１４】
2021502774.tif 000016
【図１５】
2021502774.tif 000017
【図１６】
2021502774.tif 000018
【図１７】
2021502774.tif 000019
【図１８】
2021502774.tif 000020
【図１９】
2021502774.tif 000021
【図２０】
2021502774.tif 000022
【図２１】
2021502774.tif 000023
【図２２】
2021502774.tif 000024
【図２３】
2021502774.tif 000025
【図２４】
2021502774.tif 000026
【図２５】
2021502774.tif 000027
【図２６】
2021502774.tif 000028
【図２７】
2021502774.tif 000029
【図２８】
2021502774.tif 000030
【図２９】
2021502774.tif 000031
【図３０】
2021502774.tif 000032
【図３１】
2021502774.tif 000033
【図３２】
2021502774.tif 000034
【図３３】
2021502774.tif 000035
【図３４】
2021502774.tif 000036
【図３５】
2021502774.tif 000037
【図３６】
2021502774.tif 000038
【図３７】
2021502774.tif 000039
【図３８】
2021502774.tif 000040
【図３９】
2021502774.tif 000041
【図４０】
2021502774.tif 000042
【手続補正書】
【提出日】令和2年5月11日(2020.5.11)
【手続補正１】
【補正対象書類名】特許請求の範囲
【補正対象項目名】全文
【補正方法】変更
【補正の内容】
【特許請求の範囲】
【請求項１】
基地局に用いられ、前記基地局により端末に少なくとも１つのＢＷＰが構成されており、
既に構成された各ＢＷＰに周波数ホッピング規則を構成するステップと、
前記端末にアップリンク伝送周波数ホッピングを行うように指示するとき、既に構成された周波数ホッピング規則に従って、前記端末により現在使用されているＢＷＰに対応する周波数ホッピング規則を決定するステップと、
前記端末が前記対応する周波数ホッピング規則と周波数ホッピング前の第１の周波数領域リソース位置に基づいて、周波数ホッピング後の第２の周波数領域リソース位置を決定し、前記第２の周波数領域リソース位置でアップリンク伝送を行うように、前記対応する周波数ホッピング規則を端末に送信するステップと、を含む
ことを特徴とする周波数ホッピング構成方法。
【請求項２】
前記既に構成された各ＢＷＰに周波数ホッピング規則を構成するステップは、
既に構成された各ＢＷＰに１つ又は複数の異なる周波数ホッピングサブバンドスキームを構成するステップを含み、
各周波数ホッピングサブバンドスキームには、少なくとも１つの周波数ホッピングサブバンドが含まれ、同じＢＷＰ内の周波数ホッピングサブバンドは、このＢＷＰ内の連続する周波数リソースセグメントである
ことを特徴とする請求項１に記載の方法。
【請求項３】
前記既に構成された周波数ホッピング規則に従って、前記端末により現在使用されているＢＷＰに対応する周波数ホッピング規則を決定するステップは、
前記端末により現在使用されているＢＷＰに１つの周波数ホッピングサブバンドスキームが構成された場合、この周波数ホッピングサブバンドスキームを前記端末により現在使用されているＢＷＰに対応する周波数ホッピング規則として決定するステップと、
前記端末により現在使用されているＢＷＰに複数の周波数ホッピングサブバンドスキームが構成された場合、前記複数の周波数ホッピングサブバンドスキームから１つの周波数ホッピングサブバンドスキームを選択し、選択された周波数ホッピングサブバンドスキームを前記端末により現在使用されているＢＷＰに対応する周波数ホッピング規則として決定するステップと、を含む
ことを特徴とする請求項２に記載の方法。
【請求項４】
前記対応する周波数ホッピング規則を端末に送信するステップは、
第１の指示情報を生成するステップと、
前記端末が前記第１の指示情報に基づいて、前記端末により現在使用されているＢＷＰに対応する周波数ホッピングサブバンドスキームを取得するように、前記第１の指示情報を前記端末に送信するステップと、を含み、
前記第１の指示情報は、前記端末により現在使用されているＢＷＰに対応する周波数ホッピングサブバンドスキームを含む
ことを特徴とする請求項３に記載の方法。
【請求項５】
周波数ホッピング構成情報を生成するステップと、
前記端末が前記周波数ホッピング構成情報から、前記基地局が既に構成された各ＢＷＰに構成した１つ又は複数の異なる周波数ホッピングサブバンドスキームを取得するように、前記周波数ホッピング構成情報を前記端末に送信するステップと、をさらに含み、
前記周波数ホッピング構成情報は、前記基地局が既に構成された各ＢＷＰに構成した１つ又は複数の異なる周波数ホッピングサブバンドスキームを含む
ことを特徴とする請求項２に記載の方法。
【請求項６】
前記対応する周波数ホッピング規則を端末に送信するステップは、
第２の指示情報を生成するステップと、
前記端末が前記第２の指示情報に基づいて、周波数ホッピングサブバンドスキーム識別子を取得し、前記周波数ホッピングサブバンドスキーム識別子に基づいて、前記端末により現在使用されているＢＷＰに対応する周波数ホッピングサブバンドスキームを決定するように、前記第２の指示情報を前記端末に送信するステップと、を含み、
前記第２の指示情報は、前記周波数ホッピングサブバンドスキーム識別子を含み、前記周波数ホッピングサブバンドスキーム識別子は、前記端末により現在使用されているＢＷＰに対応する周波数ホッピングサブバンドスキームの識別子である
ことを特徴とする請求項５に記載の方法。
【請求項７】
前記既に構成された各ＢＷＰに周波数ホッピング規則を構成するステップは、
既に構成された各ＢＷＰに１つ又は複数の異なる指定周波数ホッピングオフセットを構成するステップを含む
ことを特徴とする請求項１に記載の方法。
【請求項８】
前記既に構成された周波数ホッピング規則に従って、前記端末により現在使用されているＢＷＰに対応する周波数ホッピング規則を決定するステップは、
前記端末により現在使用されているＢＷＰに１つの指定周波数ホッピングオフセットが構成された場合、この指定周波数ホッピングオフセットを前記端末により現在使用されているＢＷＰに対応する周波数ホッピング規則として決定するステップと、
前記端末により現在使用されているＢＷＰに複数の指定周波数ホッピングオフセットが構成された場合、前記複数の指定周波数ホッピングオフセットから１つの指定周波数ホッピングオフセットを選択し、選択された周波数ホッピングオフセットを前記端末により現在使用されているＢＷＰに対応する周波数ホッピング規則として決定するステップと、を含む
ことを特徴とする請求項７に記載の方法。
【請求項９】
前記対応する周波数ホッピング規則を端末に送信するステップは、
第３の指示情報を生成するステップと、
前記端末が前記第３の指示情報に基づいて、前記端末により現在使用されているＢＷＰに対応する指定周波数ホッピングオフセットを取得するように、前記第３の指示情報を前記端末に送信するステップと、を含み、
前記第３の指示情報は、前記端末により現在使用されているＢＷＰに対応する指定周波数ホッピングオフセットを含む
ことを特徴とする請求項８に記載の方法。
【請求項１０】
端末に用いられ、基地局により前記端末に少なくとも１つのＢＷＰが構成されており、
前記基地局により送信された周波数ホッピング規則を受信するステップと、
アップリンク伝送周波数ホッピングを行うとき、前記周波数ホッピング規則と周波数ホッピング前の第１の周波数領域リソース位置に基づいて、周波数ホッピング後の第２の周波数領域リソース位置を決定するステップと、
前記第２の周波数領域リソース位置でアップリンク伝送を行うステップと、を含み、
前記周波数ホッピング規則は、前記基地局が前記端末により現在使用されているＢＷＰに構成した周波数ホッピング規則である
ことを特徴とする周波数ホッピング構成方法。
【請求項１１】
前記基地局により送信された周波数ホッピング規則を受信するステップは、
前記基地局により送信された第１の指示情報を受信するステップと、
前記第１の指示情報に基づいて、前記端末により現在使用されているＢＷＰに対応する周波数ホッピングサブバンドスキームを取得するステップと、を含み、
前記第１の指示情報は、前記端末により現在使用されているＢＷＰに対応する周波数ホッピングサブバンドスキームを含み、前記周波数ホッピングサブバンドスキームには、少なくとも１つの周波数ホッピングサブバンドが含まれ、同じＢＷＰ内の周波数ホッピングサブバンドは、このＢＷＰ内の連続する周波数リソースセグメントである
ことを特徴とする請求項１０に記載の方法。
【請求項１２】
前記基地局により送信された周波数ホッピング構成情報を受信するステップと、
前記周波数ホッピング構成情報から、前記基地局が既に構成された各ＢＷＰに構成した１つ又は複数の異なる周波数ホッピングサブバンドスキームを取得するステップと、をさらに含み、
前記周波数ホッピング構成情報は、前記基地局が既に構成された各ＢＷＰに構成した１つ又は複数の異なる周波数ホッピングサブバンドスキームを含み、各周波数ホッピングサブバンドスキームには、少なくとも１つの周波数ホッピングサブバンドが含まれ、同じＢＷＰ内の周波数ホッピングサブバンドは、このＢＷＰ内の連続する周波数リソースセグメントである
ことを特徴とする請求項１０に記載の方法。
【請求項１３】
前記基地局により送信された周波数ホッピング規則を受信するステップは、
前記基地局により送信された第２の指示情報を受信するステップと、
前記第２の指示情報に基づいて、周波数ホッピングサブバンドスキーム識別子を取得するステップと、
前記周波数ホッピングサブバンドスキーム識別子に基づいて、前記端末により現在使用されているＢＷＰに対応する周波数ホッピングサブバンドスキームを決定するステップと、を含み、
前記第２の指示情報は、前記周波数ホッピングサブバンドスキーム識別子を含み、前記周波数ホッピングサブバンドスキーム識別子は、前記端末により現在使用されているＢＷＰに対応する周波数ホッピングサブバンドスキームの識別子である
ことを特徴とする請求項１２に記載の方法。
【請求項１４】
前記周波数ホッピング規則と周波数ホッピング前の第１の周波数領域リソース位置に基づいて、周波数ホッピング後の第２の周波数領域リソース位置を決定するステップは、
前記端末により現在使用されているＢＷＰに対応する周波数ホッピングサブバンドスキームに従って、前記第１の周波数領域リソース位置に対応する第１の周波数ホッピングサブバンドを決定するステップと、
前記第１の周波数ホッピングサブバンド及び前記第１の周波数領域リソース位置に基づいて、前記第２の周波数領域リソース位置を計算するステップと、を含む
ことを特徴とする請求項１１又は１３に記載の方法。
【請求項１５】
前記第１の周波数ホッピングサブバンド及び前記第１の周波数領域リソース位置に基づいて、前記第２の周波数領域リソース位置を計算するステップは、
前記第１の周波数ホッピングサブバンド内の前記第１の周波数領域リソース位置の鏡像位置を計算するステップ、又は
前記第１の周波数ホッピングサブバンドをアップリンクデータ伝送の伝送帯域幅とし、前記基地局により配信されたアップリンクスケジューリングシグナリング内の情報に基づいて、前記第２の周波数領域リソース位置を計算するステップを含み、
前記鏡像位置は、前記第２の周波数領域リソース位置である
ことを特徴とする請求項１４に記載の方法。
【請求項１６】
前記基地局により送信された周波数ホッピング規則を受信するステップは、
前記基地局により送信された第３の指示情報を受信するステップと、
前記第３の指示情報に基づいて、前記端末により現在使用されているＢＷＰに対応する指定周波数ホッピングオフセットを取得するステップと、を含み、
前記第３の指示情報は、前記端末により現在使用されているＢＷＰに対応する指定周波数ホッピングオフセットを含む
ことを特徴とする請求項１０に記載の方法。
【請求項１７】
前記周波数ホッピング規則と周波数ホッピング前の第１の周波数領域リソース位置に基づいて、周波数ホッピング後の第２の周波数領域リソース位置を決定するステップは、
前記端末により現在使用されているＢＷＰに対応する指定周波数ホッピングオフセット及び前記第１の周波数領域リソース位置に基づいて、前記第２の周波数領域リソース位置を決定するステップを含む
ことを特徴とする請求項１６に記載の方法。
【請求項１８】
基地局に使用され、前記基地局により端末に少なくとも１つのＢＷＰが構成されており、
既に構成された各ＢＷＰに周波数ホッピング規則を構成するように構成される構成モジュールと、
前記端末にアップリンク伝送周波数ホッピングを行うように指示するとき、既に構成された周波数ホッピング規則に従って、前記端末により現在使用されているＢＷＰに対応する周波数ホッピング規則を決定するように構成される周波数ホッピング規則決定モジュールと、
前記端末が前記対応する周波数ホッピング規則と周波数ホッピング前の第１の周波数領域リソース位置に基づいて、周波数ホッピング後の第２の周波数領域リソース位置を決定し、前記第２の周波数領域リソース位置でアップリンク伝送を行うように、前記対応する周波数ホッピング規則を端末に送信するように構成される第１の送信モジュールと、を備える
ことを特徴とする周波数ホッピング構成装置。
【請求項１９】
端末に使用され、基地局により前記端末に少なくとも１つのＢＷＰが構成されており、
前記基地局により送信された周波数ホッピング規則を受信するように構成される第１の受信モジュールと、
アップリンク伝送周波数ホッピングを行うとき、前記周波数ホッピング規則と周波数ホッピング前の第１の周波数領域リソース位置に基づいて、周波数ホッピング後の第２の周波数領域リソース位置を決定するように構成されるリソース位置決定モジュールと、
前記第２の周波数領域リソース位置でアップリンク伝送を行うように構成されるアップリンク伝送モジュールと、を備え、
前記周波数ホッピング規則は、前記基地局が前記端末により現在使用されているＢＷＰに構成した周波数ホッピング規則である
ことを特徴とする周波数ホッピング構成装置。
【請求項２０】
基地局に使用され、前記基地局により端末に少なくとも１つのＢＷＰが構成されており、
プロセッサーと、
プロセッサーで実行可能な命令を記憶するためのメモリとを備え、
前記プロセッサーは、
既に構成された各ＢＷＰに周波数ホッピング規則を構成し、
前記端末にアップリンク伝送周波数ホッピングを行うように指示するとき、既に構成された周波数ホッピング規則に従って、前記端末により現在使用されているＢＷＰに対応する周波数ホッピング規則を決定し、
前記端末が前記対応する周波数ホッピング規則と周波数ホッピング前の第１の周波数領域リソース位置に基づいて、周波数ホッピング後の第２の周波数領域リソース位置を決定し、前記第２の周波数領域リソース位置でアップリンク伝送を行うように、前記対応する周波数ホッピング規則を端末に送信するように構成される
ことを特徴とする周波数ホッピング構成装置。
【請求項２１】
端末に使用され、基地局により前記端末に少なくとも１つのＢＷＰが構成されており、
プロセッサーと、
プロセッサーで実行可能な命令を記憶するためのメモリとを備え、
前記プロセッサーは、
前記基地局により送信された周波数ホッピング規則を受信し、
アップリンク伝送周波数ホッピングを行うとき、前記周波数ホッピング規則と周波数ホッピング前の第１の周波数領域リソース位置に基づいて、周波数ホッピング後の第２の周波数領域リソース位置を決定し、
前記第２の周波数領域リソース位置でアップリンク伝送を行うように構成され、
前記周波数ホッピング規則は、前記基地局が前記端末により現在使用されているＢＷＰに構成した周波数ホッピング規則である
ことを特徴とする周波数ホッピング構成装置。
【国際調査報告】
2021502774.tif 000043
2021502774.tif 000044
2021502774.tif 000045
2021502774.tif 000046